(57)【要約】この発明は、基地局が各移動局（１０２）から受信する各パケットデータの優先度情報に基づいて決定する送信タイミングの割り当てスケジュールに従って、上記基地局とパケットデータの送受信を行なう移動局（１０２）であって、入力される少なくとも１以上のパケットデータを一時的に記憶する送信データ記憶部（４０２）、この送信データ記憶部（４０２）が記憶する少なくとも１以上のパケットデータの優先度に基づいて、上記基地局が上記スケジュールの決定に用いる優先度情報を事前に生成する優先度制御部（４０５）、この優先度制御部（４０５）が生成する優先度情報を上記基地局へ送信する送信部（４０８）を備える移動局（１０２）である。したがって、基地局が、基地局及び移動局間の送信タイミング等のスケジュールを作成するのに、各移動局内に記憶されているパケットデータの優先度を事前に知ることが出来き、優先度の高いパケットデータを送信準備している移動局の存在を早期に認識でき、当該移動局に対して送信タイミング等の割り当てを素早く行なうことができる。【特許請求の範囲】
【請求項１】
基地局が各移動局から受信する各パケットデータの優先度情報に基づいて決定する送信タイミングの割り当てスケジュールに従って、上記基地局とパケットデータの送受信を行なう移動局であって、
入力される少なくとも１以上のパケットデータを一時的に記憶する送信データ記憶部、
この送信データ記憶部が記憶する少なくとも１以上のパケットデータの優先度に基づいて、上記基地局が上記スケジュールの決定に用いる優先度情報を事前に生成する優先度制御部、
この優先度制御部が生成する優先度情報を上記基地局へ送信する送信部を備えたことを特徴とする移動局。
【請求項２】
優先度制御部は、
上記送信データ記憶部に上記少なくとも１以上のパケットデータが記憶されている場合であって、
上記送信データ記憶部にパケットデータが更に入力されることにより、上記送信データ記憶部に記憶されるパケットデータのデータ量が、上記基地局と移動局との間で予め定められた所定のフォーマットで定められている上記基地局へ１回の送信で送信可能なデータ量を超えるとき、上記送信データ記憶部に記憶されているパケットデータ及び更に入力されるパケットデータのうち、次に上記基地局へ送信する予定の所定回数分のパケットデータ以外の残余の少なくとも１以上のパケットデータの優先度に基づいて、優先度情報を事前に生成することを特徴とする請求の範囲第１項に記載の移動局。
【請求項３】
優先度情報は少なくとも１以上のパケットデータにおける最大の優先度であることを特徴とする請求の範囲第１項に記載の移動局。
【請求項４】
優先度情報は送信データ記憶部に記憶される少なくとも１以上のパケットデータの優先度の平均値であることを特徴とする請求の範囲第１項に記載の移動局。
【請求項５】
優先度情報は送信データ記憶部に記憶される少なくとも１以上のパケットデータの優先度及びデータ量の加算平均値であることを特徴とする請求の範囲第１項に記載の移動局。
【請求項６】
送信部は、パケットデータ送信前に事前に送信する送信要求用チャネルに乗せて、優先度制御部が生成する優先度情報を基地局へ送信することを特徴とする請求の範囲第１項に記載の移動局。
【請求項７】
送信部は、パケットデータを送信するデータ送信用チャネルに乗せて、優先度制御部が生成する優先度情報を基地局へ送信することを特徴とする請求の範囲第１項に記載の移動局。
【請求項８】
送信部は、パケットデータを送信するとともに送信する変調形式情報送信用チャネルに乗せて、優先度制御部が生成する優先度情報を基地局へ送信することを特徴とする請求の範囲第１項に記載の移動局。
【請求項９】
パケットデータの送信は時分割されて行なわれ、
送信部は、上記時分割されたパケットデータ毎に、このパケットデータ送信前に事前に送信する送信要求用チャネルに乗せて、優先度制御部が生成する優先度情報を基地局へ送信することを特徴とする請求の範囲第１項に記載の移動局。
【請求項１０】
優先度制御部は優先度情報設定の動作モードを複数有し、
移動局及び基地局間で、上記優先度情報の動作モードを切り替える信号を互いに送受信し合い、
移動局が上記優先度情報の動作モードを切り替える信号を上記基地局から受信したとき、
優先度制御部は優先度情報設定の動作モードを切り替えて、
切り替え後の動作モードに従って、通信データ記憶部が記憶する少なくとも１以上のパケットデータの優先度に基づいて、上記基地局が上記スケジュール決定に用いる優先度情報を事前に生成することを特徴とする請求の範囲第１項に記載の移動局。
【請求項１１】
送信データ記憶部は、複数のメモリを備え、
入力される少なくとも１以上のパケットデータを順次時分割しながら上記複数のメモリに順次一時的に記憶し、上記時分割されたパケットデータの優先度を優先度制御部へ順次出力し、
優先度制御部は、
上記複数のメモリに記憶された上記時分割されたパケットデータの優先度に基づいて、上記基地局が上記スケジュールの決定に用いる優先度情報を事前に生成し、
送信部は、優先度制御部が生成する優先度情報を上記時分割されたパケットデータ毎に上記基地局へ送信することを特徴とする請求の範囲第１項記載の移動局。
【請求項１２】
基地局からパケットデータを正しく受信したか否かの判断結果を時分割されたパケットデータ毎に受信でき、
上記判断結果が正しく受信したことを受信するまでは、
優先度制御部は、
複数のメモリに最初に記憶された時分割されたパケットデータの最大の優先度に基づいて、上記基地局がスケジュールの決定に用いる優先度情報を事前に生成することを特徴とする請求の範囲第１０項記載の移動局。
【請求項１３】
入力される少なくとも１以上のパケットデータを一時的に記憶する送信データ記憶部、
この送信データ記憶部が記憶する少なくとも１以上のパケットデータの優先度に基づいて、上記基地局が上記スケジュールの決定に用いる優先度情報を事前に生成する優先度制御部、
及びこの優先度制御部が生成する優先度情報を上記基地局へ送信する送信部を備えた移動局と、
この移動局から受信するパケットデータの優先度情報に基づいて決定する送信タイミングの割り当てスケジュールを決定する送信スケジューラー、
及びこの送信スケジューラーが決定する送信タイミングの割り当てスケジュールを上記移動局へ通知する送信部を備えた基地局とで構成され、
上記基地局と上記移動局は、上記基地局が決定する送信タイミングの割り当てスケジュールに従って、パケットデータの送受信を行うことを特徴とする通信システム。
【請求項１４】
入力される少なくとも１以上のパケットデータを移動局の送信データ記憶部に一時的に記憶するステップ、
上記送信データ記憶部に記憶された少なくとも１以上のパケットデータの優先度に基づいて、上記基地局が上記スケジュールの決定に用いる優先度情報を事前に生成するステップ、
上記優先度情報を上記移動局から基地局へ送信するステップ、
上記移動局から受信するパケットデータの優先度情報に基づいて決定する送信タイミングの割り当てスケジュールを上記基地局の送信スケジューラーが決定するステップ、
上記送信スケジューラーが決定する送信タイミングの割り当てスケジュールを上記移動局へ通知するステップからなり、
上記基地局と上記移動局は、上記基地局が決定する送信タイミングの割り当てスケジュールに従って、パケットデータの送受信を行うことを特徴とする通信制御方法。
【発明の詳細な説明】
【技術分野】  この発明は、ＣＤＭＡ（Ｃｏｄｅ  Ｄｉｖｉｓｉｏｎ  Ｍｕｌｔｉｐｌｅ  Ａｃｃｅｓｓ：符号分割多重通信）の移動体通信システム上で、パケットデータを通信する移動局に関する。
【背景技術】  近年、高速なＣＤＭＡ移動体通信方式として第３世代と呼ばれる通信規格が国際電気連合（ＩＴＵ）においてＩＭＴ−２０００として採用され、Ｗ−ＣＤＭＡ（ＦＤＤ：Ｆｒｅｑｕｅｎｃｙ  Ｄｉｖｉｓｉｏｎ  Ｄｕｐｌｅｘ）については２００１年に日本で商用サービスが開始されている。Ｗ−ＣＤＭＡ（ＦＤＤ）方式は、移動局あたり最大２Ｍｂｐｓ（Ｍｅｇａ  ｂｉｔ  ｐｅｒ  ｓｅｃ）程度の通信速度が得られるこを目的としており、規格化団体３ＧＰＰ（３ｒｄ．Ｇｅｎｅｒａｔｉｏｎ  Ｐａｒｔｎｅｒｓｈｉｐ）において、１９９９年にまとめられたリリース１９９９版として最初の仕様が決定されている。
この仕様に基づいて提案された資料として、Ｒ１−０３００６７「ＡＨ６４：Ｒｅｄｕｃｉｎｇ  ｃｏｎｔｒｏｌ  ｃｈａｎｎｅｌ  ｏｖｅｒｈｅａｄ  ｆｏｒ  Ｅｎｈａｎｃｅｄ  Ｕｐｌｉｎｋ」（以下、非特許文献１と称する）に示された、上りリンクにおけるオンデマインドのチャネル割り当て方式が提案されている。
なお、この資料は、インターネットによって、以下の通り掲載されている。
ＵＲＬ：ｈｔｔｐ：／／ｗｗｗ．３ｇｐｐ．ｏｒｇ／ｆｔｐ／ｔｓｇ＿ｒａｎ／ＷＧ１＿ＲＬ１／ＴＳＧＲ１＿３０／Ｄｏｃｓ／Ｚｉｐｓ／Ｒ１−０３００６７．ｚｉｐ＞［２００３年５月１５日検索］
上記非特許文献１のＦｉｇ．１には、送信すべきパケットを持つ移動局（ＵＥ：Ｕｓｅｒ  Ｅｑｕｉｐｍｅｎｔ）が送信要求用チャネル（ＵＳＩＣＣＨ：Ｕｐｌｉｎｋ  Ｓｃｈｅｄｕｌｉｎｇ  Ｉｎｆｏｒｍａｔｉｏｎ  Ｃｏｎｔｒｏｌ  Ｃｈａｎｎｅｌ）によってパケットデータ送信要求を基地局（Ｎｏｄｅ−Ｂ）に送信し、この要求を受けて基地局は移動局へ送信タイミング割当て等を下りリンクの割当て用チャネル（ＤＳＡＣＣＨ：Ｄｏｗｎｌｉｎｌｋ  Ｓｃｈｅｄｕｌｉｎｇ  Ａｓｓｉｇｎｍｅｎｔ  Ｃｏｎｔｒｏｌ  Ｃｈａｎｎｅｌ）で指示し、この指示に従って移動局はデータ送信用チャネル（ＥＵＤＣＨ：Ｅｎｈａｎｃｅｄ  Ｕｐｌｉｎｋ  Ｄｅｄｉｃａｔｅｄ  Ｔｒａｎｓｐｏｒｔ  Ｃｈａｎｎｅｌ）にデータを乗せて基地局へ送信する技術が記載されている。また、パケットデータ送信時の変調方式等の情報を別途変調形式情報チャネル（ＵＴＣＣＨ：Ｕｐｌｉｎｋ  ＴＦＲＩ  Ｃｏｎｔｒｏｌ  Ｃａｎｎｎｅｌ）に乗せて送信される。
また、従来のＣＤＭＡ移動体通信におけるパケットデータ送信方法には、送信すべきパケットデータが各移動局に発生したとき、移動局がパケットデータ容量の情報を含む送信要求信号を基地局に送信し、基地局はこの移動局からの送信要求信号に対応して、パケットデータの送信タイミング、移動局が送信時に使用すべき拡散符号を指定する送信許可信号を移動局に送信し、移動局が基地局から指定された送信タイミングと拡散信号に従って基地局へパケットデータ送信を行なうものがある（例えば、特開平９−２３３０５１号（以下特許文献１と称する）参照）。
この通信方法により、各移動局から送信されるパケットデータの衝突を回避でき、効率的なパケットデータ送信を実現できる。
しかし、この送信方法では、データ量が大きいパケットデータの送信を行なおうとする移動局に、送信タイミング及び拡散信号が割り当てられると、その間に例えば音声データのように、メールデータ等を含むパケットデータと比較して、送信すべき優先度の高いデータを送信しようとする移動局が存在しても、基地局は送信タイミング及び拡散信号を割り当てることができず、送信タイミングが遅くなり、移動体通信システム全体の送信速度（ｔｈｒｏｕｇｈ  ｐｕｔ：スループット）を上げることができず、無線資源利用の効率が低下するという問題がある。
更に、ＣＤＭＡ移動体通信におけるパケット通信方法には、基地局がパケットデータの送受信を行なうチャネル及び送信タイミングのスケジュールを決定し、このスケジュールを移動局に通知し、移動局は基地局から送信されたスケジュールに基づいてパケットデータの送受信を行なう予約型アクセス方式のパケット送信方法に関し、基地局は送信パケット毎に決定優先度を定め、決定優先度の高いパケットに対し、優先的に長いトラフックチャネルを割り当てるものがある（例えば、特開平２０００−２２４２３１号（以下特許文献２と称する）参照）。
基地局が移動局との通信で使用する送信タイミング等のスケジュール作成に用いる上記決定優先度は、次のように決定されている。
基地局のパケットデータ管理情報メモリには、移動局管理テーブル、パケット管理テーブル、スケジュール管理テーブル、トラフックチャネル管理テーブルが保持されおり、各テーブルに記録された情報は基地局のスケジュール決定に用いられる（特許文献２  段落番号００８８、図７、図１７、図１８、図１９、及び図２４参照）。
上記決定優先度は、このうち、パケット管理テーブルで管理される（特許文献２  図１８）。
移動局管理テーブルでは、パケット通信サービス利用者とサービス提供者間の事前契約による各移動局の優先度協定の情報、パケットデータサービスの接続時間、接続以来の当該移動局と基地局との間で送受されたパケットの発生頻度、累積送受信データ量、当該移動局と基地局との間の通話品質状態を格納し、これらの移動局毎の情報は各々優先度の決定による重み付けがなされ、上記決定優先度の決定要因として用いられる（特許文献２  段落００９０、００９１、図１７参照）。
なお、上記移動局管理テーブルに格納されている各移動局の優先度協定の情報に代えて、各パケットのヘッダ部に設定された送信者の希望する優先度を、基地局がスケジュール作成で使用する決定優先度の算出に用いている（特許文献２  段落０１０３〜０１０６参照）。
また、基地局は、例えば移動局から送信されるパケットデータのヘッダ部に書き込まれた、送信者が望む優先度又はパケットデータの種別に基づいて、基地局がスケジュール作成に用いる上記決定優先度を決定する（特許文献２  段落０１０６、０１０９、０１１０参照）
しかし、この発明では基地局側でスケジューリングするための決定優先度は、移動局から基地局へ送信する直前のパケットデータの種別等に過ぎない。
従って、基地局では、サービスエリア内の各移動局が当該各移動局内で送信準備している各パケットデータの優先度を事前に知ることが出来なかった。このため、基地局では、優先度の高いパケットデータを送信準備している移動局が存在するにもかかわらず、当該移動局に対して送信タイミング等の割り当てを素早く行なえなかった。
この発明は、基地局が、基地局及び移動局間の送信タイミング等のスケジュールを作成するのに、各移動局内に記憶されているパケットデータ内容を事前に知ることが出来るよう、各パケットデータ送信前に、移動局内に記憶され、送信準備しているパケットデータ全体の優先度を、事前に基地局へ送信する移動局を提供することを目的とする。
【発明の開示】
この発明は、基地局が各移動局から受信する各パケットデータの優先度情報に基づいて決定する送信タイミングの割り当てスケジュールに従って、上記基地局とパケットデータの送受信を行なう移動局であって、入力される少なくとも１以上のパケットデータを一時的に記憶する送信データ記憶部、この送信データ記憶部が記憶する少なくとも１以上のパケットデータの優先度に基づいて、上記基地局が上記スケジュールの決定に用いる優先度情報を事前に生成する優先度制御部、この優先度制御部が生成する優先度情報を上記基地局へ送信する送信部を備えたことを特徴とする移動局である。
【図面の簡単な説明】  第１図は、本発明の実施の形態１における通信システム構成を概略的に示す図である。
第２図は、本発明の実施の形態１における移動局から基地局へパケットデータ送信する場合のシーケンス図である。
第３図は、送信要求用チャネル（ＵＳＩＣＣＨ）のチャネル構造を示す図である。
第４図は、本発明の実施の形態１における移動局の構造を示す図である。
第５図は、本発明の実施の形態１における基地局の構造を示す図である。
第６図は、本発明の実施の形態１における移動局と基地局との間のパケットデータの送信手順を示す図である。
第７図は、第６図のＳＴ６０３におけるパケットデータの残留優先度算出手順を説明する図である。
第８図は、第６図のＳＴ６０３におけるパケットデータの残留優先度算出手順を説明する図である。
第９図は、第６図のＳＴ６０３におけるパケットデータの残留優先度算出手順を説明する図である。
第１０図は、本発明の実施の形態２に関する移動局と基地局との間のパケットデータの送信手順を示す図である。
第１１図は、残留優先度情報を含んだデータ送信用チャネルのチャネルフォーマットの一例を示す図である。
第１２図は、本発明の実施の形態２における基地局の構造を示す図である。
第１３図は、本発明の実施の形態２における移動局と基地局間との間のパケットデータの送信手順を示す図である。
第１４図は、残留優先度情報を含んだ変調形式情報チャネルのチャネルフォーマットの一例を示す図である。
第１５図は本発明の実施の形態３に関する優先度情報設定の動作モード切替処理のシーケンス図である。
第１６図は、本発明の実施の形態３に関する移動局、基地局、及び基地局制御装置間の動作モード切替のシグナリング一覧図である。
第１７図は、オンデマインド型のチャネル割当方式であり並列型再送方式の動作原理タイミングチャートを示す図である。
第１８図は、本発明の実施の形態３に関する移動局の送信バッファの内部構成を示す図である。
第１９図は、オンデマインド型のチャネル割当方式であり並列型再送方式の動作原理タイミングチャートを示す図であって、特に残留優先度の設定・基地局への送信動作を説明する図である。
第２０図は、オンデマインド型のチャネル割当方式であり並列型再送方式の動作原理タイミングチャートを示す図であって、特に残留優先度の設定・基地局への送信動作を説明する図である。
【発明を実施するための最良の形態】実施の形態１．
実施の形態１に係る発明について、図に基づいて説明する。
第１図は本発明の実施の形態１における通信システム構成を概略的に示す図である。
第１図において、通信システム１０１は、移動局１０２、基地局１０３、基地局制御装置１０４から構成される。基地局１０３は一定範囲のセクタ又はセルをカバーし、複数の移動局１０２と通信する。なお、第１図では便宜上、移動局１０２は１つのみ示している。移動局１０２と基地局１０３との間は複数のチャネルを用いて通信される。
基地局制御装置１０４は公衆電話網等のネットワーク１０５に接続され、基地局１０３とネットワーク１０５との間のパケット通信を中継する。
Ｗ−ＣＤＭＡでは、上記移動局１０２はＵＥ（Ｕｓｅｒ  Ｅｑｕｉｐｍｅｎｔ）、基地局１０３はＮｏｄｅ−Ｂ、基地局制御装置１０４はＲＮＣ（Ｒａｄｉｏ  Ｎｅｔｗｏｒｋ  Ｃｏｎｔｒｏｌｌｅｒ）と呼ばれている。
また、基地局１０３と基地局制御装置１０４とを合わせてＲＡＮ（Ｒａｄｉｏ  Ａｃｃｕｓｅｓ  Ｎｅｔｗｏｒｋ）と呼ばれている。
ＵＳＩＣＣＨ（Ｕｐｌｉｎｋ  Ｓｃｈｅｄｕｌｉｎｇ  Ｉｎｆｏｒｍａｔｉｏｎ  Ｃｏｎｔｒｏｌ  Ｃｈａｎｎｅｌ）１０６は移動局１０２からの送信要求用チャネルである。ＤＳＡＣＣＨ（Ｄｏｗｎｌｉｎｌｋ  Ｓｃｈｅｄｕｌｉｎｇ  Ａｓｓｉｇｎｍｅｎｔ  Ｃｏｎｔｒｏｌ  Ｃｈａｎｎｅｌ）１０７は、移動局１０２からの送信要求を受けた後、基地局１０３でスケジュール決定された送信タイミング等のスケジュール結果情報を移動局１０２に通知するための割当て用チャネルである。ＵＴＣＣＨ（Ｕｐｌｉｎｋ  ＴＦＲＩ  Ｃｏｎｔｒｏｌ  Ｃａｎｎｎｅｌ）１０８は、移動局１０２がパケットデータ送信時の変調方式等の情報を基地局１０３へ送る変調形式情報チャネルである。ＥＵＤＣＨ（Ｅｎｈａｎｃｅｄ  Ｕｐｌｉｎｋ  Ｄｅｄｉｃａｔｅｄ  Ｔｒａｎｓｐｏｒｔ  Ｃｈａｎｎｅｌ）１０９は移動局１０２から基地局１０３へパケットデータを送信するためのデータ送信用チャネルである。ＤＡＮＣＣＨ（Ｄｏｗｎｌｉｎｋ  Ａｃｋ／Ｎａｃｋ  Ｃｏｎｔｒｏｌ  Ｃｈａｎｎｅｌ）１１０は基地局１０３でのデータ受信結果を移動局１０２へ通知するための通知用チャネルである。
第２図は本発明の実施の形態１における移動局から基地局へパケットデータ送信する場合のシーケンス図である。
移動局１０２で基地局１０３へ送信すべきパケットデータが発生した場合、移動局１０２は基地局１０３へ送信データサイズ（Ｑｕｅｕｅ  Ｓｉｚｅ）、移動局１０２の送信最大電力までの余裕を示す送信電力マージン情報（Ｐｏｗｅｒ  Ｍａｒｇｉｎ）、及び基地局１０３がスケジュール決定に用いる残留優先度情報（Ｒｅｓｉｄｕａｌ  Ｐｒｉｏｒｉｔｙ）を送信要求用チャネル（ＵＳＩＣＣＨ）１０６に乗せて送信する（ステップ（以下、ＳＴと称する）２０１）。残留優先度（Ｒｅｓｉｄｕａｌ  Ｐｒｉｏｒｉｔｙ）に関しては、具体的に後述する。
次に基地局１０３は、送信要求用チャネル（ＵＳＩＣＣＨ）１０６を受信後、送信要求用チャネル（ＵＳＩＣＣＨ）１０６に乗せられた送信データサイズ（Ｑｕｅｕｅ  Ｓｉｚｅ）、送信最大電力までの余裕（Ｐｏｗｅｒ  Ｍａｒｇｉｎ）、残留優先度（Ｒｅｓｉｄｕａｌ  Ｐｒｉｏｒｉｔｙ）等の各情報を基に、他の移動局１０２分も含めて、移動局１０２及び基地局１０３間でパケットデータの送受信を行なう送信タイミング等のスケジュールを決定し、決定された送信タイミング等のスケジュール結果情報を最大許容電力増減量（Ｍａｘ  Ｐｏｗｅｒ  Ｍａｒｇｉｎ）、送信タイミング情報（Ｍａｐ）として、割当て用チャネル（ＤＳＡＣＣＨ）１０７に乗せて、移動局１０２へ通知する（ＳＴ２０２）。
次に、移動局１０２は、移動局１０２における現時点の変調方式（ＴＦＲＩ：Ｔｒａｎｓｐｏｒｔ  Ｆｏｒｍａｔ  Ｒｅｓｏｕｒｃｅ  Ｉｎｄｉｃａｔｏｒ）等を、変調形式情報チャネル（ＵＴＣＣＨ）１０８に乗せて、基地局１０３へ送信する（ＳＴ２０３）。
次に、移動局１０２は、基地局１０３がスケジュール作成した結果、移動局１０２に割り当てた最大許容電力増減量（Ｍａｘ  Ｐｏｗｅｒ  Ｍａｒｇｉｎ）、送信タイミング情報（Ｍａｐ）により割り当てた送信タイミングを用いて、パケットデータをデータ送信用チャネル（ＥＵＤＣＨ）１０９に乗せて基地局１０３へ送信する（ＳＴ２０４）。
次に、基地局１０３は、変調形式情報チャネル（ＵＴＣＣＨ）１０８に乗せられている、データ送信用チャネル（ＥＵＤＣＨ）１０９のデータの変調方式等の通信情報を基に、データ送信用チャネル（ＥＵＤＣＨ）１０９に乗せられているパケットデータを取り出して、正しいデータであるか否かを判断する。そして、基地局１０３は、正しいデータと判断した場合にはＡＣＫを、誤ったデータであると判断した場合にはＮＡＣＫを、判定結果として通知用チャネル（ＤＡＮＣＣＨ）１１０に乗せて移動局１０２へ送信する。
移動局１０２は、基地局１０３からＡＣＫを受信した場合には、次のパケットデータ送信のため、送信要求用チャネル（ＵＳＩＣＣＨ）１０６を基地局１０３へ送信し（ＳＴ２０１）、上述の送信サイクルを繰り返す（ＳＴ２０１〜ＳＴ２０５）。
一方、移動局１０２は、基地局１０３からＮＡＣＫを受信した場合には、再度、同じパケットデータを送信するため、送信要求用チャネル（ＵＳＩＣＣＨ）１０６を基地局１０３へ送信し（ＳＴ２０１）、上述の送信サイクルを繰り返す（ＳＴ２０１〜ＳＴ２０５）。
なお、この実施の形態においては、移動局１０２は基地局１０３のスケジュールリング期間（Ｓｃｈｅｄｕｌｉｎｇ  Ｔｒａｎｓｍｉｓｓｉｏｎ  Ｉｎｔｅｒｖａｌ）毎に送信要求用チャネル（ＵＳＩＣＣＨ）１０６を基地局１０３へ送信するものとする。
第３図は、送信要求用チャネル（ＵＳＩＣＣＨ）のチャネル構造を示す図である。
第３図において、送信要求用チャネル（ＵＳＩＣＣＨ）１０６は、移動局スケジューリング情報（ＵＥ  Ｓｃｈｅｄｕｌｉｎｇ  Ｉｎｆｏｒｍａｔｉｏｎ）３０１を１１ビット（ｂｉｔ）、Ｔａｉｌ３０２を５ビット（ｂｉｔ）、巡回冗長検査（ＣＲＣ：Ｃｙｃｌｉｃ  Ｒｅｄｕｎｄａｎｃｙ  Ｃｈｅｃｋ）３０３を２４ビット（ｂｉｔ）の情報を含んでいる。
また、移動局スケジューリング情報（ＵＥ  Ｓｃｈｅｄｕｌｉｎｇ  Ｉｎｆｏｒｍａｔｉｏｎ）３０１には、移動局１０２から基地局１０３へ送信予定の送信データサイズ（Ｑｕｅｕｅ  ｓｉｚｅ）３０１ａを４ビット（ｂｉｔ）、移動局１０２の送信最大電力までの余裕を示す送信電力マージン情報（Ｐｏｗｅｒ  Ｍａｒｇｉｎ）３０１ｂを４ビット（ｂｉｔ）、基地局１０３がスケジュール決定に用いる、優先度情報としての残留優先度情報（Ｒｅｓｉｄｕａｌ  Ｐｒｉｏｒｉｔｙ）３０１ｃを３ビット（ｂｉｔ）含んでいる。基地局１０３がスケジュール決定に用いる残留優先度情報（Ｒｅｓｉｄｕａｌ  Ｐｒｉｏｒｉｔｙ）３０１ｃの設定に関しては、具体的に後述する。
第４図は、本発明の実施の形態１における移動局の構造を示す図である。
第４図において、移動局１０２の上位処理ブロック部（Ｕｐｐｅｒ  Ｌａｙｅｒ）４０１はＴＣＰ／ＩＰ層などの上位プロトコル層における公知技術による所定処理を行ない、基地局１０３へ送信したい少なくとも１以上の各パケットデータ（Ｄａｔａ）を、送信バッファ（ＴＸ  ｂｕｆｆｅｒ）４０２へ入力する。
送信データ記憶部としての送信バッファ（ＴＸ  ｂｕｆｆｅｒ）４０２は、上位処理ブロック部（Ｕｐｐｅｒ  Ｌａｙｅｒ）４０１から入力された少なくとも１以上の各パケットデータ（Ｄａｔａ）に含まれる、優先度（Ｐｒｉｏｒｉｔｙ）、データサイズ、送信データ自体の情報（ＥＵＤＣＨ  ＴＸ  ｄａｔａ）を読み取り、送信バッファ（ＴＸ  ｂｕｆｆｅｒ）４０２内に記録されているデータサイズ（Ｑｕｅｕｅ  ｓｉｚｅ）を変調制御部（ＴＦＲＩ  Ｃｏｎｔｒｏｌ）４０４へ、優先度（Ｐｒｉｏｒｉｔｙ）を優先度制御部（Ｐｒｉｏｒｉｔｙ  Ｃｏｎｔｒｏｌ）４０５へ、送信データ自体の情報（ＥＵＤＣＨ  ＴＸ  ｄａｔａ）を多重化部（ＭＵＸ）４０７へ入力する。
パケット送信制御部（Ｐａｃｋｅｔ  ＴＸ  Ｃｏｎｔｒｏｌ）４０３は、変調制御部（ＴＦＲＩ  Ｃｏｎｔｒｏｌ）４０４及び優先度制御部（Ｐｒｉｏｒｉｔｙ  Ｃｏｎｔｒｏｌ）４０５を含み、後述の分離部（ＤＥＭＩＸ）４１１から入力される受信判定結果（ＡＳＫ／ＮＡＣＫ）及び基地局１０３からのスケジューリング指示情報（Ｓｃｈｅｄｕｌｉｎｇ  Ａｓｓｉｇｎｍｅｎｔ）から、基地局１０３へデータ送信する際の送信タイミング（ＴＸ  ｔｉｍｉｎｇ）を抽出し、送信バッファ（ＴＸ  ｂｕｆｆｅｒ）４０２へ入力する。
また、パケット送信制御部（Ｐａｃｋｅｔ  ＴＸ  Ｃｏｎｔｒｏｌ）４０３は、送信バッファ（ＴＸ  ｂｕｆｆｅｒ）４０２中パケットデータを優先度（Ｐｒｉｏｒｉｔｙ）、データサイズ等から認識し、どのパケットデータを送信させるのか、パケットデータの一部を送信するのか全部を送信するのかを制御する。この際、パケット送信制御部（Ｐａｃｋｅｔ  ＴＸ  Ｃｏｎｔｒｏｌ）４０３は、基地局１０３から送信されるスケジューリング指示情報（Ｓｃｈｅｄｕｌｉｎｇ  Ａｓｓｉｇｎｍｅｎｔ）や受信判定結果（ＡＳＫ／ＮＡＣＫ）も利用する。
変調制御部（ＴＦＲＩ  Ｃｏｎｔｒｏｌ）４０４は、送信バッファ（ＴＸ  ｂｕｆｆｅｒ）４０２から入力される送信データサイズ（Ｑｕｅｕｅ  ｓｉｚｅ）及び分離部（ＤＥＭＩＸ）４１１から入力されるスケジューリング指示情報（Ｓｃｈｅｄｕｌｉｎｇ  Ａｓｓｉｇｎｍｅｎｔ）を基に、基地局１０３へのパケットデータ送信のための変調形式を決定し、これを変調形式情報（ＴＲＦＩ）として、送信電力制御部（Ｐｏｗｅｒ  Ｃｏｎｔｒｏｌ）４０６及び多重化部（ＭＵＸ）４０７に入力する。また、変調制御部（ＴＦＲＩ  Ｃｏｎｔｒｏｌ）４０４は、送信バッファ（ＴＸ  ｂｕｆｆｅｒ）４０２から入力されるデータサイズ（Ｑｕｅｕｅ  ｓｉｚｅ）を多重化部（ＭＵＸ）４０７へ入力する。
優先度制御部（Ｐｒｉｏｒｉｔｙ  Ｃｏｎｔｒｏｌ）４０５は、送信バッファ（ＴＸ  ｂｕｆｆｅｒ）４０２から入力される優先度（Ｐｒｉｏｒｉｔｙ）に基づいて、残留優先度情報（Ｒｅｓｉｄｕａｌ  Ｐｒｉｏｒｉｔｙ）を決定し、多重化部（ＭＵＸ）４０７へ入力する。残留優先度情報（Ｒｅｓｉｄｕａｌ  Ｐｒｉｏｒｉｔｙ）の決定方法は後述で具体的に説明する。
送信電力制御部（Ｐｏｗｅｒ  Ｃｏｎｔｒｏｌ）４０６は、送信電力のマージン情報（Ｐｏｗｅｒ  ｍａｒｇｉｎ）を多重化部（ＭＵＸ）４０７に入力し、変調制御部（ＴＦＲＩ  Ｃｏｎｔｒｏｌ）４０４から入力される変調形式情報（ＴＲＦＩ）に応じて、基地局１０３へ送信するのに必要な送信電力制御情報（Ｐｏｗｅｒ）を送信部（ＴＸ）４０８に入力する。
多重化部（ＭＵＸ）４０７は、優先度制御部（Ｐｒｉｏｒｉｔｙ  Ｃｏｎｔｒｏｌ）４０５から入力される残留優先度情報（Ｒｅｓｉｄｕａｌ  Ｐｒｉｏｒｉｔｙ）、変調制御部（ＴＦＲＩ  Ｃｏｎｔｒｏｌ）４０４から入力される送信データサイズ（Ｑｕｅｕｅ  ｓｉｚｅ）、及び送信電力制御部（Ｐｏｗｅｒ  Ｃｏｎｔｒｏｌ）４０６から入力される送信電力マージン情報（Ｐｏｗｅｒ  ｍａｒｇｉｎ）の３つの情報から送信要求用チャネル（ＵＳＩＣＣＨ）１０６を形成し、また、変調制御部（ＴＦＲＩ  Ｃｏｎｔｒｏｌ）４０４から入力される変調形式情報（ＴＲＦＩ）から変調形式情報チャネル（ＵＴＣＣＨ）１０８を形成し、更に、送信バッファ（ＴＸ  ｂｕｆｆｅｒ）４０２から入力される送信データ自体の情報（ＥＵＤＣＨ  ＴＸ  ｄａｔａ）からデータ送信用チャネル（ＥＵＤＣＨ）１０９を形成し、これらのチャネルを符号多重化した後、送信部（ＴＸ）４０８に入力する。
送信部（ＴＸ）４０８は、多重化部（ＭＵＸ）４０７から入力される符号多重化後の送信要求用チャネル（ＵＳＩＣＣＨ）１０６、変調形式情報チャネル（ＵＴＣＣＨ）１０８、及びデータ送信用チャネル（ＥＵＤＣＨ）１０９を公知技術により無線周波数信号へ変換し、また、送信電力制御部（Ｐｏｗｅｒ  Ｃｏｎｔｒｏｌ）４０６から入力される送信電力制御情報（Ｐｏｗｅｒ）を基に、無線周波数信号を公知技術により送信に必要な送信電力まで増幅し、送信アンテナ４０９へ出力する。
送信アンテナ４０９は、送信部（ＴＸ）４０８から入力される増幅後の無線周波数信号を上りリンクとして、基地局１０３へ送信する。また、逆に、基地局１０３から送信される下りリンクの無線周波数信号を受信して、受信部（ＲＸ）４１０へ出力する。
受信部（ＲＸ）４１０は、送信アンテナ４０９から入力される無線周波数信号を、公知技術によりベースバンド信号に変換後、これらのチャネル信号を分離部（ＤＥＭＵＸ）４１１へ出力する。
分離部（ＤＥＭＵＸ）４１１は、割当て用チャネル（ＤＳＡＣＣＨ）１０７と通知用チャネル（ＤＡＮＣＣＨ）１１０とを公知技術により分離した後、割当用チャネル（ＤＳＡＣＣＨ）１０７に含まれるスケジューリング指示情報（Ｓｃｈｅｄｕｌｉｎｇ  Ａｓｓｉｇｎｍｅｎｔ）及び通知用チャネル（ＤＡＮＣＣＨ）１１０に含まれる受信判定結果（ＡＳＫ／ＮＡＣＫ）を、パケット送信制御部（Ｐａｃｋｅｔ  ＴＸ  Ｃｏｎｔｒｏｌ）４０３へ出力する。
第５図は、本発明の実施の形態１における基地局の構造を示す図である。
第５図において、送受信アンテナ５０１は、移動局１０２から上りリンクの送信要求用チャネル（ＵＳＩＣＣＨ）１０６、変調形式情報チャネル（ＵＴＣＣＨ）１０８、及びデータ送信用チャネル（ＥＵＤＣＨ）１０９の各種チャネルの無線周波数信号を受信し、受信部（ＲＸ）５０２へ出力する。また、送受信アンテナ５０１は、送信部（ＴＸ）５０３から入力される下りリンクの各チャネルの無線周波数信号を移動局１０２に向けて送信する。
受信部（ＲＸ）５０２は送受信アンテナ５０１から入力される上りリンクの送信要求用チャネル（ＵＳＩＣＣＨ）１０６、変調形式情報チャネル（ＵＴＣＣＨ）１０８、及びデータ送信用チャネル（ＥＵＤＣＨ）１０９の各種無線周波数信号を公知技術により、いわゆるベースバンド信号である各種チャネル信号に変換し、分離部（ＤＥＭＵＸ）５０４へ出力する。
分離部（ＤＥＭＵＸ）５０４は、ベースバンド信号へ変換後の送信要求用チャネル（ＵＳＩＣＣＨ）１０６、変調形式情報チャネル（ＵＴＣＣＨ）１０８、及びデータ送信用チャネル（ＥＵＤＣＨ）１０９の各種チャネルを公知技術により分離し、受信データや各種情報を各々のチャンネルから取り出して、受信バッファ（ＲＸ  ｂｕｆｆｅｒ）５０５及び送信スケジューラー（Ｓｃｈｅｄｕｌｅｒ）５０６へ出力する。即ち、分離部（ＤＥＭＵＸ）５０４は、送信要求用チャネル（ＵＳＩＣＣＨ）１０６からパケットデータのサイズ情報（Ｑｕｅｕｅ  Ｓｉｚｅ）、残留優先度情報（Ｒｅｓｉｄｕａｌ  ｐｒｉｏｒｉｔｙ）、送信電力マージン情報（Ｐｏｗｅｒ  ｍａｒｇｉｎ）を取りだし、送信スケジューラー（Ｓｃｈｅｄｕｌｅｒ）５０６へ出力する。また、分離部（ＤＥＭＵＸ）５０４は、変調形式情報チャネル（ＵＴＣＣＨ）１０８から変調形式（ＴＦＲＩ）を取りだし、この変調形式（ＴＦＲＩ）を利用してデータ送信用チャネル（ＥＵＤＣＨ）１０９から送信データ自体を復調し取り出し、受信バッファ（ＲＸ  ｂｕｆｆｅｒ）５０７へ出力する。
分離部（ＤＥＭＵＸ）５０４は、受信バッファ（ＲＸ  ｂｕｆｆｅｒ）５０５へ入力時に、正しい送信データを各チャネルから取り出されたかを判定し、正しいデータを取り出せた場合にはＡＣＫを、誤ったデータを取り出した場合にはＮＡＣＫを、判定結果情報として、送信スケジューラー（Ｓｃｈｅｄｕｌｅｒ）５０６を介して多重化部（ＭＵＸ）５０８へ出力する。また、受信バッファ（ＲＦ  ｂｕｆｆｅｒ）５０５は、分離部（ＤＥＭＵＸ）５０４から入力され、移動局１０２から正しく受信できた送信データ自体（ＥＵＤＣＨ  ＲＸ  ｄａｔａ）を、送信データ（Ｄａｔａ）として上位処理ブロック部（Ｕｐｐｅｒ  ｌａｙｅｒ）５０７へ出力する。
送信スケジューラー（Ｓｃｈｅｄｕｌｅｒ）５０６は、各移動局１０２から送信要求用チャネル（ＵＳＩＣＣＨ）１０６に乗せられて送信要求として用いられる送信バッファ４０２のパケットデータのサイズ情報（Ｑｕｅｕｅ  Ｓｉｚｅ）、優先度情報としての残留優先度情報（Ｒｅｓｉｄｕａｌ  ｐｒｉｏｒｉｔｙ）、送信電力マージン情報（Ｐｏｗｅｒ  ｍａｒｇｉｎ）に従って、各移動局１０２がデータを送信する際の送信タイミング等のスケジュールを決定し、そのスケジューリング指示情報（Ｓｃｈｅｄｕｌｉｎｇ  ａｓｓｉｇｎｍｅｎｔ）を多重化部（ＭＵＸ）５０８へ出力する。
多重化部（ＭＵＸ）５０８は、送信スケジューラー（Ｓｃｈｅｄｕｌｅｒ）５０６から入力されるスケジューリング指示情報（Ｓｃｈｅｄｕｌｉｎｇ  ａｓｓｉｇｎｍｅｎｔ）を割当用チャネル（ＤＳＡＣＣＨ）１０７に乗せて送信部（ＴＸ）５０３へ入力する。また、多重化部（ＭＵＸ）５０８は、分離部（ＤＥＭＵＸ）５０４から送信スケジューラー（Ｓｃｈｅｄｕｌｅｒ）５０６を介して入力された判定結果情報（ＡＣＫ／ＮＡＣＫ）を通知用チャネル（ＤＡＮＣＣＨ）１１０に乗せて、送信部（ＴＸ）５０３へ出力する。
なお、上記基地局１０３の一部については、基地局制御装置１０４に設けられる場合もある。
次に本発明の実施の形態１における移動局及び基地局間のパケットデータの送信手順について説明する。
第６図は、本発明の実施の形態１における移動局と基地局との間のパケットデータの送信手順を示す図である。
第４図、第６図において、まず、移動局（ＵＥ）１０２が基地局（Ｎｏｄｅ−Ｂ）１０３にパケットデータを送信しようとした場合、優先度制御部（Ｐｒｉｏｒｉｔｙ  Ｃｏｎｔｒｏｌ）４０５で設定する残留優先度（Ｒｅｓｉｄｕａｌ  Ｐｒｉｏｒｉｔｙ）をデフォルト値０に設定する（ＳＴ６０１）。残留優先度（Ｒｅｓｉｄｕａｌ  Ｐｒｉｏｒｉｔｙ）の設定方法は、第７図を用いて後述する。
次に、上位処理ブロック部（Ｕｐｐｅｒ  Ｌａｙｅｒ）４０１は、上位プロトコル層の所定処理を行ない、複数の各パケットデータを送信バッファ（ＴＸ  ｂｕｆｆｅｒ）４０２に入力する。なお、以下、上位処理ブロック部（Ｕｐｐｅｒ  Ｌａｙｅｒ）４０１はＴＣＰ／ＩＰ層であるものとする。
送信バッファ（ＴＸ  ｂｕｆｆｅｒ）４０２は、上位処理ブロック部（Ｕｐｐｅｒ  Ｌａｙｅｒ）４０１から複数のＩＰパケットデータが入力された場合、各パケットデータ（Ｄａｔａ）に含まれる、優先度（Ｐｒｉｏｒｉｔｙ）、データサイズ（Ｑｕｅｕｅ  ｓｉｚｅ）、送信データ自体の情報（ＥＵＤＣＨ  ＴＸ  ｄａｔａ）を読み取り、データサイズを変調制御部（ＴＦＲＩ  Ｃｏｎｔｒｏｌ）４０４へ、優先度（Ｐｒｉｏｒｉｔｙ）を優先度制御部（Ｐｒｉｏｒｉｔｙ  Ｃｏｎｔｒｏｌ）４０５へ、送信データ自体の情報（ＥＵＤＣＨ  ＴＸ  ｄａｔａ）を多重化部（ＭＵＸ）４０７へ出力する。
ここで、優先度（Ｐｒｉｏｒｉｔｙ）、データサイズ、送信データ自体の情報（ＥＵＤＣＨ  ＴＸ  ｄａｔａ）は、各パケットデータ毎に、例えばデータのヘッダ部に記録されている。
優先度（Ｐｒｉｏｒｉｔｙ）は例えば０、１、２、３、４、５の５段階で設定されているとする。もっとも優先度（Ｐｒｉｏｒｉｔｙ）が高い音声データを５、続いてＴＶ電話画像データを４、ＴＶ電話以外の動画像データを３、静止画像データを２、メール等文字列データを１、デフォルト値を０とする。
複数の各パケットデータが入力されない場合、送信バッファ（ＴＸ  ｂｕｆｆｅｒ）４０２は、複数の各パケットデータが入力されるまで監視し続ける（ＳＴ６０２）。
次に、優先度制御部（Ｐｒｉｏｒｉｔｙ  Ｃｏｎｔｒｏｌ）４０５は、送信バッファ（ＴＸ  ｂｕｆｆｅｒ）４０２から入力された優先度（Ｐｒｉｏｒｉｔｙ）に基づいて、残留優先度（Ｒｅｓｉｄｕａｌ  Ｐｒｉｏｒｉｔｙ）を算出設定する（ＳＴ６０３）。
具体的には、第７図を用いて説明する。
第７図は、第６図のＳＴ６０３におけるパケットデータの残留優先度算出手順を説明する図である。
（最初のパケットデータ送信の場合）
第４図、第７図において、パケット送信制御部（Ｐａｃｋｅｔ  ＴＸ  Ｃｏｎｔｒｏｌ）４０３は、新たに送信バッファ（ＴＸ  ｂｕｆｆｅｒ）４０２に複数のパケットデータが入力されたとき、その時点において送信バッファ（ＴＸ  ｂｕｆｆｅｒ）４０２にパケットデータがあるか否か検出する（ＳＴ７０１）。最初のパケットデータ送信なので、データ送信バッファ（ＴＸ  ｂｕｆｆｅｒ）４０２内にパケットデータがなく、空の状態である。この場合、優先度制御部（Ｐｒｉｏｒｉｔｙ  Ｃｏｎｔｒｏｌ）４０５は、新たに入力される複数のパケットデータのヘッダ部に書きこまれた優先度（Ｐｒｉｏｒｉｔｙ）を用いて残留優先度（Ｒｅｓｉｄｕａｌ  Ｐｒｉｏｒｉｔｙ）を算出する（ＳＴ７０２）。
具体的には、新たに入力された複数の各パケットデータが、優先度５の音声データ、優先度３のＴＶ以外の動画像データ、及び優先度１の文字列データだったとすると、入力された複数の各パケットデータのうち、最大の優先度である優先度５を残留優先度（Ｒｅｓｉｄｕａｌ  Ｐｒｉｏｒｉｔｙ）として設定する。
一方、最初のパケット送信ではなく、送信バッファ（ＴＸ  ｂｕｆｆｅｒ）４０２内にパケットデータが既にある場合には、後述のＳＴ６１４からＳＴ６０３へ戻った後、ＳＴ７０３〜ＳＴ７０５の処理をするが、詳細については後述する。
次に、第４図、第６図において、優先度制御部（Ｐｒｉｏｒｉｔｙ  Ｃｏｎｔｒｏｌ）４０５は、決定後の残留優先度情報（Ｒｅｓｉｄｕａｌ  Ｐｒｉｏｒｉｔｙ）を優先度情報として多重化部（ＭＵＸ）４０７へ出力する。
また、変調制御部（ＴＦＲＩ  Ｃｏｎｔｒｏｌ）４０４は、送信バッファ（ＴＸ  ｂｕｆｆｅｒ）４０２から入力される送信データサイズ（Ｑｕｅｕｅ  ｓｉｚｅ）を多重化部（ＭＵＸ）４０７に入力する。また、送信電力制御部（Ｐｏｗｅｒ  Ｃｏｎｔｒｏｌ）４０６は、送信電力のマージン情報（Ｐｏｗｅｒ  ｍａｒｇｉｎ）を多重化部（ＭＵＸ）４０７に入力する。
次に、多重化部（ＭＵＸ）４０７は、優先度制御部（Ｐｒｉｏｒｉｔｙ  Ｃｏｎｔｒｏｌ）４０５から入力される残留優先度情報（Ｒｅｓｉｄｕａｌ  Ｐｒｉｏｒｉｔｙ）、変調制御部（ＴＦＲＩ  Ｃｏｎｔｒｏｌ）４０４から入力される送信データサイズ（Ｑｕｅｕｅ  ｓｉｚｅ）、及び送信電力制御部（Ｐｏｗｅｒ  Ｃｏｎｔｒｏｌ）４０６から入力される送信電力マージン情報（Ｐｏｗｅｒ  ｍａｒｇｉｎ）の３つの情報から送信要求用チャネル（ＵＳＩＣＣＨ）１０６を多重形成し、送信部（ＴＸ）４０８へ出力する。
次に送信部（ＴＸ）４０８は送信要求用チャネル（ＵＳＩＣＣＨ）１０６を、送信アンテナ４０９を介して基地局（Ｎｏｄｅ−Ｂ）１０３に無線送信する（ＳＴ６０４）。そして送信後、移動局１０２のパケット送信制御部（Ｐａｃｋｅｔ  ＴＸ  Ｃｏｎｔｒｏｌ）４０３は割当て用チャネル（ＤＳＡＣＣＨ）１０７の受信を監視する。
次に、基地局（Ｎｏｄｅ−Ｂ）１０３の送受信アンテナ５０１は移動局（ＵＥ）１０２からの送信要求用チャネル（ＵＳＩＣＣＨ）１０６を受信し、受信部（ＲＸ）５０２は送受信アンテナ５０１から入力される送信要求用チャネル（ＵＳＩＣＣＨ）１０６の無線周波数をベースバンド信号に変換し、分離部（ＤＥＭＵＸ）５０４はこの送信要求用チャネル（ＵＳＩＣＣＨ）１０６のベースバンド信号から、送信要求情報である、パケットデータのサイズ情報（Ｑｕｅｕｅ  Ｓｉｚｅ）、残留優先度情報（Ｒｅｓｉｄｕａｌ  ｐｒｉｏｒｉｔｙ）、送信電力マージン情報（Ｐｏｗｅｒ  ｍａｒｇｉｎ）を取りだし、送信スケジューラー（Ｓｃｈｅｄｕｌｅｒ）５０６へ入力する。
送信スケジューラー（Ｓｃｈｅｄｕｌｅｒ）５０６は移動局１０２から新たな送信要求用チャネル（ＵＳＩＣＣＨ）１０６が入力されないか監視し、送信要求用チャネル（ＵＳＩＣＣＨ）１０６が発生した場合には、移動局１０２からＩＰパケットデータを送信する際の送信タイミング等のスケジュールを作成するステップ（ＳＴ６０６）へ移行する。送信要求用チャネル（ＵＳＩＣＣＨ）１０６が発生しない場合には、送信スケジューラー（Ｓｃｈｅｄｕｌｅｒ）５０６は移動局１０２から新たな送信要求用チャネル（ＵＳＩＣＣＨ）１０６が入力されないか監視を繰り返す。（ＳＴ６０５）
次に送信スケジューラー（Ｓｃｈｅｄｕｌｅｒ）５０６は、送信バッファ（ＴＸ  ｂｕｆｆｅｒ）のパケットデータのサイズ情報（Ｑｕｅｕｅ  Ｓｉｚｅ）、残留優先度情報（Ｒｅｓｉｄｕａｌ  ｐｒｉｏｒｉｔｙ）、送信電力マージン情報（Ｐｏｗｅｒ  ｍａｒｇｉｎ）に従って、各移動局１０２から送信する際の送信タイミング等のスケジュールを行いスケジューリング指示情報（Ｓｃｈｅｄｕｌｉｎｇ  ａｓｓｉｇｎｍｅｎｔ）を作成／修正する（ＳＴ６０６）。この際、送信スケジューラー（Ｓｃｈｅｄｕｌｅｒ）５０６は、残留優先度（Ｒｅｓｉｄｕａｌ  ｐｒｉｏｒｉｔｙ）が高いパケットデータを送信しようとする移動局１０２を優先させて、送信タイミング等の割当てを行なう。
送信スケジューラー（Ｓｃｈｅｄｕｌｅｒ）５０６はスケジューリング指示情報（Ｓｃｈｅｄｕｌｉｎｇ  ａｓｓｉｇｎｍｅｎｔ）を多重化部（ＭＵＸ）５０８へ出力し、多重化部（ＭＵＸ）５０８は、スケジュール結果情報（Ｓｃｈｅｄｕｌｉｎｇ  ａｓｓｉｇｎｍｅｎｔ）を割当て用チャネル（ＤＳＡＣＣＨ）１０７に乗せて送信部（ＴＸ）５０３へ出力する。以上のようにして、送信チャネル等のスケジューリング指示情報（Ｓｃｈｅｄｕｌｉｎｇ  ａｓｓｉｇｎｍｅｎｔ）が割当て用チャネル（ＤＳＡＣＣＨ）１０７に乗せられて、送受信アンテナ５０１を介して移動局１０２に通知・送信される（ＳＴ６０７）。
次に移動局（ＵＥ）１０２の送受信アンテナ４０９は割当て用チャネル（ＤＳＡＣＣＨ）１０７を受信し、受信部（ＲＸ）４１０は割当て用チャネル（ＤＳＡＣＣＨ）１０７を公知技術によりベースバンド信号に変換し、分離部（ＤＥＭＵＸ）４１１は割当て用チャネル（ＤＳＡＣＣＨ）１０７から、送信チャネル等のスケジューリング指示情報（Ｓｃｈｅｄｕｌｉｎｇ  ａｓｓｉｇｎｍｅｎｔ）を取り出して、パケット送信制御部（ＴＸ  Ｐａｃｋｅｔ  Ｃｏｎｔｒｏｌ）４０３へ出力する。
次に、パケット送信制御部（Ｐａｃｋｅｔ  ＴＸ  Ｃｏｎｔｒｏｌ）４０３は、基地局１０３からの受信したスケジューリング指示情報（Ｓｃｈｅｄｕｌｉｎｇ  Ａｓｓｉｇｎｍｅｎｔ）から割当て用チャネル（ＤＳＡＣＣＨ）１０７を受信できたと判断したときには（ＳＴ６０８）、スケジューリング指示情報（Ｓｃｈｅｄｕｌｉｎｇ  Ａｓｓｉｇｎｍｅｎｔ）から基地局１０３へデータ送信する際の送信タイミング等を抽出し、送信タイミング（ＴＸ  ｔｉｍｉｎｇ）を送信バッファ（ＴＸ  ｂｕｆｆｅｒ）４０２へ出力する。一方、パケット送信制御部（Ｐａｃｋｅｔ  ＴＸ  Ｃｏｎｔｒｏｌ）４０３は、割当て用チャネル（ＤＳＡＣＣＨ）１０７を受信できたと判断しないときには（ＳＴ６０８）、再度基地局１０３に送信要求するステップ（ＳＴ６０４）に戻る。
次に、移動局（ＵＥ）１０２の送信バッファ（ＴＸ  ｂｕｆｆｅｒ）４０２は、少なくとも１以上の各パケットデータ（Ｄａｔａ）に含まれる送信データ自体の情報（ＥＵＤＣＨ  ＴＸ  ｄａｔａ）を読み取り、送信データ自体の情報（ＥＵＤＣＨ  ＴＸ  ｄａｔａ）を多重化部（ＭＵＸ）４０７へ出力し、変調制御部（ＴＦＲＩ  Ｃｏｎｔｒｏｌ）４０４は、基地局１０３によって送信許可された送信期間（ＭＡＰ）に対応させて、基地局１０３へのパケットデータ送信のための変調形式を決定し、これを変調形式情報（ＴＲＦＩ）として、多重化部（ＭＵＸ）４０７及び送信電力制御部４０６へ出力する。
多重化部（ＭＵＸ）４０７は、変調形式情報（ＴＲＦＩ）を基に、少なくとも１以上のパケットデータの送信データ自体の情報（ＥＵＤＣＨ  ＴＸ  ｄａｔａ）を多重化した後、多重化された当該送信データ自体の情報（ＥＵＤＣＨ  ＴＸ  ｄａｔａ）をからデータ送信用チャネル（ＥＵＤＣＨ）１０９を形成し、また、変調形式情報（ＴＲＦＩ）から変調形式情報チャネル（ＵＴＣＣＨ）１０８を形成し、これらのチャネルを符号多重化した後、送信部（ＴＸ）４０８へ出力する。
なお、後述する実施の形態４の場合は、上述した少なくとも１以上のパケットデータの送信データ自体の情報（ＥＵＤＣＨ  ＴＸ  ｄａｔａ）を多重化は行なわずに各送信データ自体の情報（ＥＵＤＣＨ  ＴＸ  ｄａｔａ）は時分割されて順次処理される。
次に、送信部（ＴＸ）４０８は、変調形式情報チャネル（ＵＴＣＣＨ）１０８及びデータ送信用チャネル（ＥＵＤＣＨ）１０９を公知技術により無線周波数信号へ変換し、また、送信電力制御部（Ｐｏｗｅｒ  Ｃｏｎｔｒｏｌ）４０６から入力される送信電力制御情報（Ｐｏｗｅｒ）を基に、無線周波数信号を公知技術により送信に必要な送信電力まで増幅し、送信アンテナ４０９へ出力し、そして送受信アンテナ４０９は基地局１０３へ無線週波数信号を送信する（ＳＴ６０９）。
次に基地局（Ｎｏｄｅ−Ｂ）１０３の送受信アンテナ５０１は、移動局１０２から送信される上りリンクの変調形式情報チャネル（ＵＴＣＣＨ）１０８及びデータ送信用チャネル（ＥＵＤＣＨ）１０９の無線周波数信号を受信し受信部（ＲＸ）５０２へ入力し、受信部（ＲＸ）５０２は変調形式情報チャネル（ＵＴＣＣＨ）１０８及びデータ送信用チャネル（ＥＵＤＣＨ）１０９の各無線周波数信号を公知技術によりベースバンド信号に変換し、分離部（ＤＥＭＵＸ）５０４へ出力する。分離部（ＤＥＭＵＸ）５０４は、変調形式情報チャネル（ＵＴＣＣＨ）１０８から変調形式（ＴＦＲＩ）を取りだし、この変調形式（ＴＦＲＩ）を利用してデータ送信用チャネル（ＥＵＤＣＨ）１０９から送信データ自体（ＥＵＤＣＨ  ＴＸ  ｄａｔａ）を復調し取り出す。そして、分離部（ＤＥＭＵＸ）５０４は、受信・分離した送信データ自体（ＥＵＤＣＨ  ＴＸ  ｄａｔａ）が正しいかを判定し、正しい送信データを取り出せた場合には送信データ自体（ＥＵＤＣＨ  ＴＸ  ｄａｔａ）を受信バッファ（ＲＸ  ｂｕｆｆｅｒ）５０５へ出力する。一方、正しい送信データを取り出せなかった場合には、分離部（ＤＥＭＵＸ）５０４は送信データ自体（ＥＵＤＣＨ  ＴＸ  ｄａｔａ）を廃棄する。
また、分離部（ＤＥＭＵＸ）５０４は、正しい送信データを取り出せた場合にはＡＣＫを、正しい送信データを取り出せない場合にはＮＡＣＫを判定結果情報として、送信スケジューラー（Ｓｃｈｅｄｕｌｅｒ）５０６を介して多重化部（ＭＵＸ）５０８へ出力する（ＳＴ６１０）。
次に、多重化部（ＭＵＸ）５０８は、判定結果情報（ＡＣＫ／ＮＡＣＫ）を通知用チャネル（ＤＡＮＣＣＨ）１１０に乗せて、送信部（ＴＸ）５０３及び送受信アンテナ５０１を介して移動局（ＵＥ）１０２へ送信する（ＳＴ６１１）。
次に、受信バッファ（ＲＸ  ｂｕｆｆｅｒ）５０５は、正しく受信されたパケットデータを上位処理ブロック部（５０７）へ入力する（ＳＴ６１２）。
次に、移動局１０２（ＵＥ）の送受信アンテナ４０９は基地局（Ｎｏｄｅ−Ｂ）１０３から送信される通知用チャネル（ＤＡＮＣＣＨ）１１０を受信し、受信部（ＲＸ）４１０は通知用チャネル（ＤＡＮＣＣＨ）１１０をベースバンド信号に変換し、分離部（ＤＥＭＵＸ）４１１は通知用チャネル（ＤＡＮＣＣＨ）１１０に含まれる受信判定結果（ＡＳＫ／ＮＡＣＫ）を取り出しパケット送信制御部（Ｐａｃｋｅｔ  ＴＸ  Ｃｏｎｔｒｏｌ）４０３へ出力する。
次に、パケット送信制御部（Ｐａｃｋｅｔ  ＴＸ  Ｃｏｎｔｒｏｌ）４０３は、受信判定結果（ＡＣＫ／ＮＡＣＫ）について、ＡＣＫを受信した場合、即ち基地局１０３へ正しいパケットデータを送信できた場合には（ＳＴ６１３）、送信バッファ（ＴＸ  ｂｕｆｆｅｒ）４０２に更に送信すべきパケットデータが残っていないか、確認する（ＳＴ６１４）。
一方、パケット送信制御部（Ｐａｃｋｅｔ  ＴＸ  Ｃｏｎｔｒｏｌ）４０３は、ＮＡＣＫを受信した場合、即ち基地局１０３へ正しいパケットデータを送信できなかった場合には（ＳＴ６１３）、再度基地局（Ｎｏｄｅ−Ｂ）１０３に送信要求するステップ（ＳＴ６０４）へ移行する。
送信バッファ（ＴＸ  ｂｕｆｆｅｒ）４０２に更に送信すべきパケットデータが残っていない場合には、ＳＴ６０２に戻り、新たなパケットデータが送信バッファ（ＴＸ  ｂｕｆｆｅｒ）４０２に入力されるか監視し（ＳＴ６０２）、更に送信すべきパケットデータが残っている場合には、ＳＴ６０３に戻り、基地局（Ｎｏｄｅ−Ｂ）１０３へ送信許可要求を行なう（ＳＴ６１４）。
（最初のパケットデータ送信ではない場合）
最初のパケットデータ送信が完了し（ＳＴ６１３）、更に送信バッファ（ＴＸ  ｂｕｆｆｅｒ）４０２内にパケットデータが残っている場合には（ＳＴ６１４）、再度、残留優先度（Ｒｅｓｉｄｕａｌ  Ｐｒｉｏｒｉｔｙ）を決定する（ＳＴ６０３）。
第７図に従って具体的に説明する。
優先度制御部（Ｐｒｉｏｒｉｔｙ  Ｃｏｎｔｒｏｌ）４０５は、送信バッファ（ＴＸ  ｂｕｆｆｅｒ）４０２に、複数のパケットデータが基地局１０３へ１回の送信で送信可能なデータ量を超えて入力されたとき（ＳＴ７０３）、既に送信データ記憶部としての送信バッファ（ＴＸ  ｂｕｆｆｅｒ）４０２内に存在するパケットデータ及び新たに送信バッファ（ＴＸ  ｂｕｆｆｅｒ）４０２に入力される複数のパケットデータの中から、次に基地局１０３へ送信する予定のパケットデータ以外の残余のパケットデータの優先度のうち、最も高い優先度（Ｐｒｉｏｒｉｔｙ）を残留優先度（Ｒｅｓｉｄｕａｌ  Ｐｒｉｏｒｉｔｙ）として設定する。
以下に具体的に説明する。
まず、１回の送信で送信可能なデータ量の範囲は、例えば規格の送信レート規定、最大パワーマージン、ＭＡＰで示される送信期間、移動局１０２の最大送信電力、伝播環境等の各要素の内容に応じて予め定められた所定のフォーマットに従って、決められている。なお、この所定フォーマットは移動局１０２及び基地局１０３双方で持っているものとする。
送信データ記憶部としての送信バッファ（ＴＸ  ｂｕｆｆｅｒ）４０２にパケットデータが入力され、送信バッファ（ＴＸ  ｂｕｆｆｅｒ）４０２内のパケットデータ量が基地局１０３へ１回の送信で送信可能なデータ量を超えるときには（ＳＴ７０３）、次に基地局１０３へ送信する予定のパケットデータ以外の残余のパケットデータのうち、最大の優先度を残留優先度（Ｒｅｓｉｄｕａｌ  Ｐｒｉｏｒｉｔｙ）に設定する（ＳＴ７０４）。
なお、次に基地局１０３へ送信予定のパケットデータの所定回数分以外の残余のパケットデータのうちの最大の優先度を残留優先度（Ｒｅｓｉｄｕａｌ  Ｐｒｉｏｒｉｔｙ）に設定してもいい。所定回数については、移動局１０２又は基地局１０３で任意に決定可能とする。
一方、送信バッファ（ＴＸ  ｂｕｆｆｅｒ）４０２に、パケットデータが入力されても、基地局１０３へ１回の送信で送信可能なデータ量を超えないときには（ＳＴ７０３）、送信バッファ（ＴＸ  ｂｕｆｆｅｒ）４０２に記録された全てのパケットデータのうち、最大の優先度（Ｒｅｓｉｄｕａｌ  Ｐｒｉｏｒｉｔｙ）を残留優先度に設定する（ＳＴ７０５）。
具体的には、送信バッファ（ＴＸ  ｂｕｆｆｅｒ）４０２には既に優先度５の音声データと優先度３のＴＶ以外の動画像データがあるとする。そして、優先度４のＴＶ電話画像データ、優先度２の静止画像データ、及び優先度１の文字列データが、上位処理ブロック部（Ｕｐｐｅｒ  Ｌａｙｅｒ）４０１から送信バッファ（ＴＸ  ｂｕｆｆｅｒ）４０２に入力され、基地局１０３へ１回の送信で送信可能なデータ量を超えたとき、優先度制御部（Ｐｒｉｏｒｉｔｙ  Ｃｏｎｔｒｏｌ）４０５は１回の送信で送信可能なデータ量の範囲を定めた所定のフォーマットに従い、次に基地局１０３へ送信する予定のパケットデータを選択する。ここで、優先度制御部（Ｐｒｉｏｒｉｔｙ  Ｃｏｎｔｒｏｌ）４０５が、次に基地局１０３へ送信する予定のパケットデータとして優先度５の音声データ及び優先度２の静止画像データを選択したとき、それ以外の残余のパケットデータである優先度３のＴＶ以外の動画像データ、優先度４のＴＶ電話画像データ、及び優先度１の文字列データのうち最も高い優先度４を残留優先度（Ｒｅｓｉｄｕａｌ  Ｐｒｉｏｒｉｔｙ）として設定する。
一方、優先度４のＴＶ電話画像データ、優先度２の静止画像データ、及び優先度１の文字列データが、上位処理ブロック部（Ｕｐｐｅｒ  Ｌａｙｅｒ）４０１から送信バッファ（ＴＸ  ｂｕｆｆｅｒ）４０２に入力され、基地局１０３へ１回の送信で送信可能なデータ量を超えないときは、優先度制御部（Ｐｒｉｏｒｉｔｙ  Ｃｏｎｔｒｏｌ）４０５は送信バッファ（ＴＸ  ｂｕｆｆｅｒ）４０２に記録されている全データである優先度５の音声データ、優先度４のＴＶ電話画像データ、優先度３のＴＶ以外の動画像データ、優先度２の静止画像データ、及び優先度１の文字列データのうち最も高い優先度５を残留優先度（Ｒｅｓｉｄｕａｌ  Ｐｒｉｏｒｉｔｙ）として設定する。
そして、第４図、第６図において、優先度制御部（Ｐｒｉｏｒｉｔｙ  Ｃｏｎｔｒｏｌ）４０５は、決定後の残留優先度（Ｒｅｓｉｄｕａｌ  Ｐｒｉｏｒｉｔｙ）を優先度情報として多重化部（ＭＵＸ）４０７へ入力する。
以降の処理は（最初のパケットデータ送信でない場合）で説明した内容と同様の処理を行なう。
以上により、基地局では、基地局及び移動局間の送信タイミングのスケジュールを作成するのに、サービスエリア内の各移動局が当該各移動局内の送信データ記憶部としての送信バッファで送信準備しているパケットデータの優先度に基づいて生成された優先度情報を事前に知ることが出来きるので、基地局では、優先度の高いパケットデータを送信準備している移動局の存在を早期に認識でき、当該移動局対して送信タイミング等の割り当てを素早く行なえる。
また、例えば、優先度が低い高容量のパケットデータを送信しようとする移動局に基地局から送信タイミング等が割り当てられていたとしても、その後、優先度が高く低容量のパケットデータを送信しようとする移動局が基地局がカバーする範囲に出現したとき、基地局がスケジュール作成するときに優先度が高いパケットデータを送信しようとする移動局の存在を認識でき、優先度の高いパケットデータを送信しようとする移動局に、送信タイミング等が割り当てることができる。従って、パケットデータの送信制御を高速に行なえ、無線資源の効率的な利用をすることができる移動局を提供することができる。
また、基地局の送信スケジューラーが各移動局に対して送信タイミング等を一度割り当て後、再割り当てが可能である場合には、各移動局に一度送信タイミングを割り当てた後で、更に優先度の高いパケットデータがいずれかの移動局に入力されたとしても、基地局の送信スケジューラーは移動局の残留優先度を事前に認識でき、高い優先度のパケットデータを有する当該移動局へ送信タイミング等を割り当てることができる。従って、例えば、基地局からみて優先度の高いパケットデータに対して、送信タイミングが遅延したりする確率も低くでき、無線資源の有効活用ができる。
また、Ｗ−ＣＤＭＡでは、ひとつの移動局１０２が基地局と複数のサービスを複数のチャネルを利用して多重送信するマルチコール（Ｍｕｌｔｉｐｌｅ  Ｃａｌｌ）が可能であるが、移動局１０２の優先度制御部４０５がパケットデータを多重化する前に送信バッファ４０２に記憶されているパケットデータの優先度に基づいて、優先度情報を生成しているので、多重化後のパケットデータに対しても各々優先度情報を設定して、基地局１０３が移動局１０２との通信で使用する送信タイミング等を移動局１０２へ割り当てることができる。
なお、基地局１０３側での送信タイミングのスケジュール作成は、残留優先度（Ｒｅｓｉｄｕａｌ  Ｐｒｉｏｒｉｔｙ）、データサイズ（Ｑｕｅｕｅ  ｓｉｚｅ）、及び送信電力余裕（Ｐｏｗｅｒ  Ｍａｒｇｉｎ）に限られない。
また、この実施の形態においては、移動局１０２は基地局１０３のスケジュールリング期間（Ｓｃｈｅｄｕｌｉｎｇ  Ｔｒａｎｓｍｉｓｓｉｏｎ  Ｉｎｔｅｒｖａｌ）毎に送信要求用チャネル（ＵＳＩＣＣＨ）１０６を基地局１０３へ送信するものとしたが、ＴＣＰ／ＩＰパケットで時分割して送信する場合には、ＴＣＰ／ＩＰパケットがランダムに発生した毎に、送信要求用チャネル（ＵＳＩＣＣＨ）１０６を基地局１０３へ送信するものとしてもいい。
次に、第６図のＳＴ６０３におけるパケットデータの送信手順については、上記第７図で説明したものの他に、第８図のものがある。
第８図は、第６図のＳＴ６０３におけるパケットデータの送信手順を説明する図である。
第８図では、特に、送信バッファ（ＴＸ  ｂｕｆｆｅｒ）４０２にパケットデータが残っており（ＳＴ７０１）、再度、残留優先度（Ｒｅｓｉｄｕａｌ  Ｐｒｉｏｒｉｔｙ）を決定する場合に、送信バッファ（ＴＸ  ｂｕｆｆｅｒ）４０２に記憶されたパケットデータの最大の優先度（Ｐｒｉｏｒｉｔｙ）の増減量を残留優先度（Ｒｅｓｉｄｕａｌ  Ｐｒｉｏｒｉｔｙ）に設定する点で（ＳＴ８０４、ＳＴ８０５）、最大の優先度（Ｐｒｉｏｒｉｔｙ）を残留優先度（Ｒｅｓｉｄｕａｌ  Ｐｒｉｏｒｉｔｙ）に設定する第７図と相違する（ＳＴ７０４、ＳＴ７０５）。
具体的には、送信バッファ（ＴＸ  ｂｕｆｆｅｒ）４０２には既に優先度５の音声データと優先度３のＴＶ以外の動画像データがあるとする。そして、優先度４のＴＶ電話画像データ、優先度２の静止画像データ、及び優先度１の文字列データが、上位処理ブロック部（Ｕｐｐｅｒ  Ｌａｙｅｒ）４０１から送信バッファ（ＴＸ  ｂｕｆｆｅｒ）４０２に入力され、基地局１０３へ１回の送信で送信可能なデータ量を超えたとき、優先度制御部（Ｐｒｉｏｒｉｔｙ  Ｃｏｎｔｒｏｌ）４０５は１回の送信で送信可能なデータ量の範囲を定めた所定のフォーマットに従って、次に基地局１０３へ送信する予定のパケットデータを選択する。ここで、優先度制御部（Ｐｒｉｏｒｉｔｙ  Ｃｏｎｔｒｏｌ）４０５が、基地局１０３へ１回で送信する予定のパケットデータを優先度５の音声データ及び優先度２の静止画像データとして選択したとき、それ以外の残余のパケットデータである優先度３のＴＶ以外の動画像データ、優先度４のＴＶ電話画像データ、及び優先度１の文字列データのうち最も高い優先度は４である。送信予定のパケットデータである優先度５の音声データ及び優先度２の静止画像データのうち最大の優先度（Ｐｒｉｏｒｉｔｙ）は５であるから、最大の優先度（Ｐｒｉｏｒｉｔｙ）増減量−１を残留優先度（Ｒｅｓｉｄｕａｌ  Ｐｒｉｏｒｉｔｙ）として設定する（ＳＴ８０４）。
一方、優先度４のＴＶ電話画像データ、優先度２の静止画像データ、及び優先度１の文字列データが、上位処理ブロック部（Ｕｐｐｅｒ  Ｌａｙｅｒ）４０１から送信バッファ（ＴＸ  ｂｕｆｆｅｒ）４０２に入力され、基地局１０３へ１回の送信で送信可能なデータ量を超えないときは、優先度制御部（Ｐｒｉｏｒｉｔｙ  Ｃｏｎｔｒｏｌ）４０５は送信バッファ（ＴＸ  ｂｕｆｆｅｒ）４０２に記録されている全データである優先度５の音声データ、優先度４のＴＶ電話画像データ、優先度３のＴＶ以外の動画像データ、優先度２の静止画像データ、及び優先度１の文字列データのうち最も高い優先度５を算出する。そして、最大の優先度（Ｐｒｉｏｒｉｔｙ）の増減量は０なので、残留優先度（Ｒｅｓｉｄｕａｌ  Ｐｒｉｏｒｉｔｙ）を０に設定する（ＳＴ８０５）。
なお、次に基地局１０３へ送信予定のパケットデータの所定回数分以外の残余のパケットデータのうち、最大の優先度の増減量を残留優先度（Ｒｅｓｉｄｕａｌ  Ｐｒｉｏｒｉｔｙ）に設定してもいい。所定回数については、移動局１０２又は基地局１０３で任意に決定可能とする。
上記記載の処理以外は先に説明した内容と同様の処理を行なう。
なお、例えば増加の場合＋１、減少の場合−１、増減無の場合０を残留優先度（Ｒｅｓｉｄｕａｌ  Ｐｒｉｏｒｉｔｙ）として設定してもいい。
このようにすることで、優先度そのものでなく、＋１、−１、０という３つの信号のみで、残留優先度（Ｒｅｓｉｄｕａｌ  Ｐｒｉｏｒｉｔｙ）の情報を形成するので、基地局（Ｎｏｄｅ−Ｂ）１０３への送信データ量が、優先度数値そのものの情報より少なく済む。
次に、更に第６図のＳＴ６０３におけるパケットデータの送信手順については、上記第７図で説明したものの他に、第９図のものがある。
第９図は、第６図のＳＴ６０３におけるパケットデータの送信手順を説明する図である。
第９図では、特に、送信バッファ（ＴＸ  ｂｕｆｆｅｒ）４０２にパケットデータが残っており（ＳＴ７０１）、再度、残留優先度（Ｒｅｓｉｄｕａｌ  Ｐｒｉｏｒｉｔｙ）を決定する場合に、送信バッファ（ＴＸ  ｂｕｆｆｅｒ）４０２に記憶されているパケットデータの優先度（Ｐｒｉｏｒｉｔｙ）の平均値を残留優先度（Ｒｅｓｉｄｕａｌ  Ｐｒｉｏｒｉｔｙ）に設定する点で（ＳＴ９０４、ＳＴ９０５）、最大の優先度（Ｐｒｉｏｒｉｔｙ）を残留優先度（Ｒｅｓｉｄｕａｌ  Ｐｒｉｏｒｉｔｙ）に設定する第７図と相違する（ＳＴ７０４、ＳＴ７０５）。
具体的には、送信バッファ（ＴＸ  ｂｕｆｆｅｒ）４０２には既に優先度５の音声データと優先度３のＴＶ以外の動画像データがあるとする。そして、優先度４のＴＶ電話画像データ、優先度２の静止画像データ、及び優先度１の文字列データが、上位処理ブロック部（Ｕｐｐｅｒ  Ｌａｙｅｒ）４０１から送信バッファ（ＴＸ  ｂｕｆｆｅｒ）４０２に入力され、基地局１０３へ１回の送信で送信可能なデータ量を超えたとき（ＳＴ９０３）、優先度制御部（Ｐｒｉｏｒｉｔｙ  Ｃｏｎｔｒｏｌ）４０５は１回の送信で送信可能なデータ量の範囲を定めた所定のフォーマットに従って、次に基地局１０３へ送信する予定のパケットデータを選択する。ここで、優先度制御部（Ｐｒｉｏｒｉｔｙ  Ｃｏｎｔｒｏｌ）４０５が、基地局１０３へ送信する予定のパケットデータを優先度５の音声データ及び優先度２の静止画像データとして選択したとき、それ以外の残余のパケットデータである優先度３のＴＶ以外の動画像データ、優先度４のＴＶ電話画像データ、及び優先度１の文字列データの平均値２．６６６６６６…を算出し、この値或いはこの値に対応するインデックス値等の整数値３（この場合は四捨五入した整数としている）を残留優先度（Ｒｅｓｉｄｕａｌ  Ｐｒｉｏｒｉｔｙ）として設定する（ＳＴ９０４）。なお、インデックス値を設定するには移動局１０２及び基地局１０３間で所定の通信方法として規定しておくか、移動局１０２及び基地局１０３間での送信開始時に所定の信号によって決定する必要がある。
一方、優先度４のＴＶ電話画像データ、優先度２の静止画像データ、及び優先度１の文字列データが、上位処理ブロック部（Ｕｐｐｅｒ  Ｌａｙｅｒ）４０１から送信バッファ（ＴＸ  ｂｕｆｆｅｒ）４０２に入力され、基地局１０３へ１回の送信で送信可能なデータ量を超えないときは（ＳＴ９０３）、優先度制御部（Ｐｒｉｏｒｉｔｙ  Ｃｏｎｔｒｏｌ）４０５は送信バッファ（ＴＸ  ｂｕｆｆｅｒ）４０２に記録されている全データである優先度５の音声データ、優先度４のＴＶ電話画像データ、優先度３のＴＶ以外の動画像データ、優先度２の静止画像データ、及び優先度１の文字列データの各優先度（Ｐｒｉｏｒｉｔｙ）の平均値３を算出する（ＳＴ９０５）。
なお、次に基地局１０３へ送信する予定の所定回数分のパケットデータ以外の残余のパケットデータの優先度の平均値を残留優先度（Ｒｅｓｉｄｕａｌ  Ｐｒｉｏｒｉｔｙ）に設定してもいい。所定回数については、移動局１０２又は基地局１０３で任意に決定可能とする。
上記処理以外は先に説明した内容と同様の処理を行なう。
また、パケットデータの優先度（Ｐｒｉｏｒｉｔｙ）の平均値にかえて、優先度（Ｐｒｉｏｒｉｔｙ）及びデータ量の加算平均としてもいい。
このようにすることで、複数のパケット送信データを多重化した場合、多重化後のパケット送信データ全体の優先度（Ｐｒｉｏｒｉｔｙ）の平均値又は優先度（Ｐｒｉｏｒｉｔｙ）及びデータ量の加算平均に基づき、基地局１０３は移動局１０２との送信で使用する送信タイミングをスケジューリングすることができるので、送信バッファ４０２に記憶されているパケットデータ全体に対して最適化された残留優先度を設定できる。
実施の形態２．
実施の形態２に係る発明について、図に基づいて説明する。
第１０図は、本発明の実施の形態２における移動局と基地局との間のパケットデータの送信手順を示す図である。
第１０図において、本発明の実施の形態１における移動局と基地局との間のパケットデータの送信手順を示す第２図との違いは、ＳＴ１００１及びＳＴ１００４であり、第２図では移動局１０２は残留優先度情報（Ｒｅｓｉｄｕａｌ  Ｐｒｉｏｒｉｔｙ）を送信要求用チャネル（ＵＳＩＣＣＨ）１０６に乗せて基地局１０３へ送信するのに対し、第１０図ではデータ送信用チャネル（ＥＵＤＣＨ）１００９に乗せて基地局１０３へ送信している点で異なる。
第１１図は残留優先度情報を含んだデータ送信用チャネルのチャネルフォーマットの一例を示す図である。
第１１図において、例えば時間長１０ｍｓ（ｍｉｌｉ  ｓｅｃｏｎｄ）の１回のデータ送信制御期間（Ｓｃｈｅｄｕｌｉｎｇ  Ｔｒａｎｓｍｉｓｓｉｏｎ  Ｉｎｔｅｒｖａｌ）１１０１は例えば５つのサブフレーム（ＥＵＤＣＨ  Ｓｕｂｆｒａｍｅ）１１０２に分割されている。データｋ（Ｄａｔａ  ｋ）１１０３〜データｋ＋４（Ｄａｔａ  ｋ＋４）１１０７まで分割送信され、各データの後に残留優先度情報ｋ（Ｒｅｓｉｄｕａｌ  Ｐｒｉｏｒｉｔｙ  ｋ）１１０８〜残留優先度情報ｋ＋４（Ｒｅｓｉｄｕａｌ  Ｐｒｉｏｒｉｔｙ  ｋ＋４）１１１２が付加されている。
第１２図は、本発明の実施の形態２における基地局の構造を示す図である。
第１２図において、基地局１２１０は、優先度情報としての残留優先度情報（Ｒｅｓｉｄｕａｌ  ｐｒｉｏｒｉｔｙ）を、パケットデータのサイズ情報（Ｑｕｅｕｅ  Ｓｉｚｅ）及び送信電力マージン情報（Ｐｏｗｅｒ  ｍａｒｇｉｎ）とは別の受信タイミンダで移動局１０２から受信する点で、パケットデータのサイズ情報（Ｑｕｅｕｅ  Ｓｉｚｅ）、残留優先度情報（Ｒｅｓｉｄｕａｌ  ｐｒｉｏｒｉｔｙ）、及び送信電力マージン情報（Ｐｏｗｅｒ  ｍａｒｇｉｎ）の全てを同じタイミングで受信する第５図で示した本発明の実施の形態１における基地局１０３と異なる。
第１２図において、基地局１２１０の分離部（ＤＥＭＵＸ）１２０４は、受信部（ＲＸ）５０２から受信する送信要求用チャネル（ＵＳＩＣＣＨ）１００６からパケットデータのサイズ情報（Ｑｕｅｕｅ  Ｓｉｚｅ）、送信電力マージン情報（Ｐｏｗｅｒ  ｍａｒｇｉｎ）を取りだし、送信スケジューラー（Ｓｃｈｅｄｕｌｅｒ）１２０６へ出力する。また、分離部（ＤＥＭＵＸ）１２０４は、変調形式情報チャネル（ＵＴＣＣＨ）１０８から変調形式（ＴＦＲＩ）を取りだし、この変調形式（ＴＦＲＩ）を利用してデータ送信用チャネル（ＥＵＤＣＨ）１００９から送信データ自体及び残留優先度情報（Ｒｅｓｉｄｕａｌ  Ｐｒｉｏｒｉｔｙ）を復調し取り出し、受信バッファ（ＲＸ  ｂｕｆｆｅｒ）５０７へ出力する。
また、分離部（ＤＥＭＵＸ）１２０４は、受信バッファ（ＲＸ  ｂｕｆｆｅｒ）５０５へ入力時に、正しい送信データを各チャネルから取り出されたかを判定し、正しい送信データを取り出せた場合にはＡＣＫを、誤った送信データを取り出した場合にはＮＡＣＫを、判定結果情報として、送信スケジューラー（Ｓｃｈｅｄｕｌｅｒ）１２０６を介して多重化部（ＭＵＸ）５０８へ出力する。なお、判定結果がＮＡＣＫのとき、送信データ自体は廃棄処理される。
送信スケジューラー（Ｓｃｈｅｄｕｌｅｒ）１２０６は、各移動局１０２から送信要求用チャネル（ＵＳＩＣＣＨ）１０６に乗せられて送信要求するパケットデータのサイズ情報（Ｑｕｅｕｅ  Ｓｉｚｅ）、送信電力マージン情報（Ｐｏｗｅｒ  ｍａｒｇｉｎ）、及びデータ送信用チャネル（ＥＵＤＣＨ）１００９に乗せられた優先度情報としての残留優先度情報（Ｒｅｓｉｄｕａｌ  ｐｒｉｏｒｉｔｙ）に従って、各移動局１０２を送受信する際の送信チャネル及び送信タイミングのスケジュールを決定し、そのスケジュール結果情報（Ｓｃｈｅｄｕｌｉｎｇ  ａｓｓｉｇｎｍｅｎｔ）を多重化部（ＭＵＸ）５０８へ出力する。
次に本発明の実施の形態２における移動局と基地局との間のパケットデータの送信手順について説明する。
第１３図は、本発明の実施の形態１における移動局と基地局との間のパケットデータの送信手順を示す図である。
第６図で示した本発明の実施の形態１における移動局と基地局との間のパケットデータの送信手順との違いは、ＳＴ６１１とＳＴ６１２との間にＳＴ１３０１が追加された点である。
以下に、特に発明の実施の形態１との相違部分を含むＳＴ６０９からＳＴ６１２までの送信手順について説明する。
第４図及び第１３図において、パケット送信制御部（Ｐａｃｋｅｔ  ＴＸ  Ｃｏｎｔｒｏｌ）４０３は基地局１０３から受信したスケジューリング結果情報（Ｓｃｈｅｄｕｌｉｎｇ  Ａｓｓｉｇｎｍｅｎｔ）を元に、送信バッファ（ＴＸ  ｂｕｆｆｅｒ）４０２に対して送信タイミング（ＴＸ  ｔｉｍｉｎｇ）を指定して、送信バッファ（ＴＸ  ｂｕｆｆｅｒ）４０２は、複数の各パケットデータ（Ｄａｔａ）に含まれる送信データ自体の情報（ＥＵＤＣＨ  ＴＸ  ｄａｔａ）を読み取り、送信データ自体の情報（ＥＵＤＣＨ  ＴＸ  ｄａｔａ）を多重化部（ＭＵＸ）４０７へ出力する。
変調制御部（ＴＦＲＩ  Ｃｏｎｔｒｏｌ）４０４は、基地局１０３によって送信許可された送信期間（ＭＡＰ）に対応させて、基地局１０３へのパケットデータ送信のための変調形式を決定し、これを変調形式情報（ＴＲＦＩ）として、多重化部（ＭＵＸ）４０７に入力する。また、変調制御部（ＴＦＲＩ  Ｃｏｎｔｒｏｌ）４０４は、データサイズ（Ｑｕｅｕｅ  ｓｉｚｅ）も多重化部（ＭＵＸ）４０７に出力する。
更に、優先度制御部（Ｐｒｉｏｒｉｔｙ  Ｃｏｎｔｒｏｌ）４０５は、送信バッファ（ＴＸ  ｂｕｆｆｅｒ）４０２から入力される優先度（Ｐｒｉｏｒｉｔｙ）を基に、残留優先度情報（Ｒｅｓｉｄｕａｌ  Ｐｒｉｏｒｉｔｙ）を決定し、多重化部（ＭＵＸ）４０７へ出力する。残留優先度情報（Ｒｅｓｉｄｕａｌ  Ｐｒｉｏｒｉｔｙ）の決定方法は実施の形態１で説明した通りである。
次に、多重化部（ＭＵＸ）４０７は、変調形式情報（ＴＲＦＩ）を基に、送信データ自体の情報（ＥＵＤＣＨ  ＴＸ  ｄａｔａ）を変調し、後述の第１４図で示すように残留優先度情報（Ｒｅｓｉｄｕａｌ  Ｐｒｉｏｒｉｔｙ）と多重化してデータ送信用チャネル（ＥＵＤＣＨ）１０９を例えばサブフレーム（ＥＵＤＣＨ  Ｓｕｂｆｒａｍｅ）毎に形成し、また、変調形式情報（ＴＲＦＩ）から変調形式情報チャネル（ＵＴＣＣＨ）１０８を形成し、これらのチャネルを符号多重化した後、送信部（ＴＸ）４０８へ出力する。
次に、送信部（ＴＸ）４０８は、変調形式情報チャネル（ＵＴＣＣＨ）１０８及びデータ送信用チャネル（ＥＵＤＣＨ）１０９を公知技術により無線周波数信号へ変換し、また、送信電力制御部（Ｐｏｗｅｒ  Ｃｏｎｔｒｏｌ）４０６から入力される送信電力制御情報（Ｐｏｗｅｒ）を基に、無線周波数信号を公知技術により送信に必要な送信電力まで増幅し、送信アンテナ４０９に出力し、そして送受信アンテナ４０９は基地局１０３へ無線週波数信号を送信する（ＳＴ６０９）。
次に基地局（Ｎｏｄｅ−Ｂ）１２１０の送受信アンテナ５０１は、移動局１０２から送信される上りリンクの変調形式情報チャネル（ＵＴＣＣＨ）１０８及びデータ送信用チャネル（ＥＵＤＣＨ）１０９各種チャネルの無線周波数信号を受信し受信部（ＲＸ）５０２へ出力する（ＳＴ６１０）。
受信部（ＲＸ）５０２は変調形式情報チャネル（ＵＴＣＣＨ）１０８及びデータ送信用チャネル（ＥＵＤＣＨ）１０９の各種無線周波数信号を公知技術により、ベースバンド信号に変換し、分離部（ＤＥＭＵＸ）１２０４に出力する。
分離部（ＤＥＭＵＸ）１２０４は、変調形式情報チャネル（ＵＴＣＣＨ）１０８から変調形式（ＴＦＲＩ）を取りだし、この変調形式（ＴＦＲＩ）を利用してデータ送信用チャネル（ＥＵＤＣＨ）１０９から残留優先度情報（Ｒｅｓｉｄｕａｌ  Ｐｒｉｏｒｉｔｙ）及び送信データ自体（ＥＵＤＣＨ  ＴＸ  ｄａｔａ）を復調し取り出す。そして、分離部（ＤＥＭＵＸ）１２０４は、送信データ自体（ＥＵＤＣＨ  ＴＸ  ｄａｔａ）が正しいかを判定し、正しい送信データを取り出せた場合には送信データ自体（ＥＵＤＣＨ  ＴＸ  ｄａｔａ）を受信バッファ（ＲＸ  ｂｕｆｆｅｒ）５０５へ入力する。一方、分離部（ＤＥＭＵＸ）１２０４は、正しい送信データを取り出せなかった場合には、送信データ自体（ＥＵＤＣＨ  ＴＸ  ｄａｔａ）を廃棄する。
また、分離部（ＤＥＭＵＸ）１２０４は、正しい送信データを取り出せた場合にはＡＣＫを、正しい送信データを取り出せない場合にはＮＡＣＫを判定結果情報として、送信スケジューラー（Ｓｃｈｅｄｕｌｅｒ）１２０６を介して多重化部（ＭＵＸ）５０８へ出力する。
次に、多重化部（ＭＵＸ）５０８は、判定結果情報（ＡＣＫ／ＮＡＣＫ）を通知用チャネル（ＤＡＮＣＣＨ）１１０に乗せて、送信部（ＴＸ）５０３及び送受信アンテナ５０１を介して移動局（ＵＥ）１０２へ送信する（ＳＴ６１１）。
次に、送信スケジューラー（Ｓｃｈｅｄｕｌｅｒ）１２０６はデータ送信用チャネル（ＥＵＤＣＨ）１０９から取り出された残留優先度情報（Ｒｅｓｉｄｕａｌ  Ｐｒｉｏｒｉｔｙ）に従って、各移動局１０２との送受信するためのチャネル及び送信チャネルのスケジュール作成に用いる残留優先度（Ｒｅｓｉｄｕａｌ  Ｐｒｉｏｒｉｔｙ）を更新する（ＳＴ１３０１）。
次に、受信バッファ（ＲＸ  ｂｕｆｆｅｒ）５０５は、正しく受信されたパケットデータを上位処理ブロック部（Ｕｐｐｅｒ  Ｌａｙｅｒ）５０７へ出力する（ＳＴ６１２）。
以上のように、移動局が残留優先度情報（Ｒｅｓｉｄｕａｌ  Ｐｒｉｏｒｉｔｙ）を、時分割されたパケットデータ自体（ＥＵＤＣＨ  ＴＸ  ｄａｔａ）と共にデータ送信用チャネル（ＥＵＤＣＨ）に乗せて基地局へ送信できるようにしたので、送信データ量が大容量であっても、時分割されたパケットデータ毎に、残留優先度（Ｒｅｓｉｄｕａｌ  Ｐｒｉｏｒｉｔｙ）を更新でき、基地局はよりタイムリーにチャネル及び送信タイミングを割り当てるスケジュール作成を行なうことができる。この結果、移動局及び基地局間のシステム全体の送信制御を高速に行なえ、無線資源のより効率的な利用ができる。
また、移動局はパケットデータを時分割で基地局へ送信するので、時間ダイバーシティ効果により基地局の受信性能を上げることができる。
更に、移動局は残留優先度情報（Ｒｅｓｉｄｕａｌ  Ｐｒｉｏｒｉｔｙ）をサブフレーム（ＥＵＤＣＨ  Ｓｕｂｆｒａｍｅ）毎にデータ送信用チャネル（ＥＵＤＣＨ）に乗せて基地局へ送信し、基地局はサブフレーム（ＥＵＤＣＨ  Ｓｕｂｆｒａｍｅ）毎に残留優先度情報（Ｒｅｓｉｄｕａｌ  Ｐｒｉｏｒｉｔｙ）を更新することができるので、基地局はよりタイムリーにチャネル及び送信タイミングを割り当てるスケジュール作成を行なうことができる。
なお、残留優先度情報（Ｒｅｓｉｄｕａｌ  Ｐｒｉｏｒｉｔｙ）を、変調形式情報チャネル（ＵＴＣＣＨ）１０８に乗せて基地局１０３へ送信してもいい。
第１４図は、残留優先度情報を含んだ変調形式情報チャネルのチャネルフォーマットの一例を示す図である。
第１４図において、例えば時間長１０ｍｓの１回のデータ送信制御期間（Ｓｃｈｅｄｕｌｉｎｇ  Ｔｒａｎｓｍｉｓｓｉｏｎ  Ｉｎｔｅｒｖａｌ）１４０１は、第１１図で示したデータ送信用チャネル（ＥＵＤＣＨ）１０９と同様に、例えば５つのサブフレーム（ＵＴＣＣＨ  Ｓｕｂｆｒａｍｅ）１４０２に分割されている。変調形式情報ｋ（ＴＦＲＩ  ｋ）１４０３〜変調形式情報ｋ＋４（ＴＦＲＩ  ｋ＋４）１４０７が時分割送信され、各変調形式情報のサブフレームの後に残留優先度情報ｋ（Ｒｅｓｉｄｕａｌ  Ｐｒｉｏｒｉｔｙ  ｋ）１４０８〜残留優先度情報ｋ＋４（Ｒｅｓｉｄｕａｌ  Ｐｒｉｏｒｉｔｙ  ｋ＋４）１４１２が付加されている。
移動局１０２と基地局１２１０との間のパケットデータの送信手順については、残留優先度情報（Ｒｅｓｉｄｕａｌ  Ｐｒｉｏｒｉｔｙ）をデータ送信用チャネル（ＥＵＤＣＨ）１０９に乗せて移動局１０２から基地局１２１０へ送信する場合と同様とし、同様の効果が得られる。
なお、第１１図とは別に、残留優先度情報（Ｒｅｓｉｄｕａｌ  Ｐｒｉｏｒｉｔｙ）とパケットデータ自体（ＥＵＤＣＨ  ＴＸ  ｄａｔａ）を混合して、データ送信用チャネル（ＥＵＤＣＨ）に乗せて基地局へ送信できるようにしても同等の効果が得られる。また、残留優先度情報（Ｒｅｓｉｄｕａｌ  Ｐｒｉｏｒｉｔｙ）と変調形式情報（ＴＦＲＩ）を混合して、変調形式情報チャネル（ＵＴＣＣＨ）１０８に乗せて基地局１０３へ送信できるようにしても同等の効果が得られる。
実施の形態３．
実施の形態３に係る発明について、図に基づいて説明する。
実施の形態３では、基地局１０３、１２１０が移動局１０２との送信のための送信タイミングをスケジュール決定するのに用いられる優先度情報を、移動局１０２から送信される残留優先度（Ｒｅｓｉｄｕａｌ  Ｐｒｉｏｒｉｔｙ）のみではなく、パケットデータ自体の優先度（Ｐｒｉｏｒｉｔｙ）をも用い、これらを動作モードで切り替えて使用するものである。なお、パケットデータ自体の優先度（Ｐｒｉｏｒｉｔｙ）は、例えば、背景技術で説明した特許文献２に記載された移動局から基地局へ送信されるパケットデータのヘッダ部に書き込まれた送信者が望む優先度やパケットデータの種別であるものとする。
第１５図は本発明の実施の形態３に関する優先度情報設定の動作モード切替処理のシーケンス図である。
第１６図は本発明の実施の形態３に関する移動局、基地局、及び基地局制御装置間の動作モード切替のシグナリング一覧図である。
第１５図、第１６図において、基地局制御装置（ＲＮＣ）１０４から基地局（Ｎｏｄｅ−Ｂ）１０３、１２１０に対し、優先度情報設定の動作モードの変更切替要求（Ｃｈａｎｇｅ  Ｒｅｑｕｅｓｔ）が送信される（ＳＴ１５０１）。
ここで、優先度情報設定の動作モード切替のシグナリングについて第１６図を用いて説明する。
第１６図において、例えば、信号識別子（Ｓｉｇｎａｌｉｎｇ  Ｉｎｄｅｘ）について、優先度情報を単純に移動局１０２で送信しようとする複数の各パケットデータの優先度（Ｐｒｉｏｒｉｔｙ）に基づいて設定する場合を「０」、送信バッファ（ＴＸ  ｂｕｆｆｅｒ）に記録されているパケットデータをも考慮して設定する残留優先度（Ｒｅｓｉｄｕａｌ  Ｐｒｉｏｒｉｔｙ）に基づいて設定する場合を「１」、更に上記のいずれにも該当しないその他の設定例を「２」とする。
次に、基地局（Ｎｏｄｅ−Ｂ）１０３、１２１０は、基地局制御装置（ＲＮＣ）１０４から受信した動作モードの変更切替要求（Ｃｈａｎｇｅ  Ｒｅｑｕｅｓｔ）に従って、優先度情報設定の動作モードを切り替えて、切替完了通知（Ｃｈａｎｇｅ  Ｃｏｍｐｌｅｔｅ）を基地局制御装置（ＲＮＣ）１０４へ送信する（ＳＴ１５０２）。
次に、基地局制御装置（ＲＮＣ）１０４は、基地局（ＲＮＣ）１０３側での優先度情報設定動作モード切替完了を確認後、移動局（ＵＥ）１０２に対し、優先度情報設定の動作モードの変更切替要求（Ｃｈａｎｇｅ  Ｒｅｑｕｅｓｔ）を送信する（ＳＴ１５０３）。
次に、移動局（ＵＥ）１０２は、基地局制御装置（ＲＮＣ）１０４から受信した動作モードの変更切替要求（Ｃｈａｎｇｅ  Ｒｅｑｕｅｓｔ）に従って、優先度情報設定の動作モードを切り替えて、切替完了通知（Ｃｈａｎｇｅ  Ｃｏｍｐｌｅｔｅ）を基地局制御装置（ＲＮＣ）１０４へ送信する（ＳＴ１５０４）。
なお、従来のＷ−ＣＤＭＡ技術では基地局１０３及び基地局制御装置（ＲＮＣ）１０４間の信号のやりとりをＳｕｂ  ｓｉｇｎａｌｉｎｇ、基地局制御装置（ＲＮＣ）及び移動局（ＵＥ）間の信号のやりとりをＲＲＣ  ｓｉｇｎａｌｉｎｇと呼んでいる。
以上の通り、基地局が移動局と通信する送信タイミング等のスケジュールを作成するのに用いる優先度情報設定の切替をすることができるので、通信環境に応じて、基地局のスケジュール作成動作をより最適化でき、従って、よりパケットデータの送信制御を高速に行なえ、無線資源のより効率的な利用ができる。
実施の形態４．
実施の形態４に係る発明について、図に基づいて説明する。
実施の形態４は、オンデマインド型のチャネル割当方式であって、送受信のタイミングを周期的に時分割し、各分割において独立に再送処理を行なう並列型再送方式（Ｎ  ｃｈａｎｎｅｌ  Ｓｔｏｐ  ａｎｄ  Ｗａｉｔ）に適用した発明である。なお、Ｎは分割数とする。
第１７図は、オンデマインド型のチャネル割当方式であり並列型再送方式の動作原理タイミングチャートを示す図である。第１７図ではサブフレーム時間長を２ｍｓとし、分割数Ｎを５としている。
第１７図において、縦軸には各種チャネルが並んでいる。各パケットデータは時分割して順次処理されるものとする。また、横軸には時間（ｔｉｍｅ）を表示する。時分割された各再送処理チャネルＣｈ．１〜Ｃｈ．５に対応する各チャネル上の情報について、送信要求用チャネル１０６（ＵＳＩＣＣＨ）上の送信要求情報をＲＥＱ１〜ＲＥＱ５、割当て用チャネル（ＤＳＡＣＣＨ）１０７上のスケジューリング指示情報をＡＳＳ１〜ＡＳＳ５、データ送信用チャネル（ＥＵＤＣＨ）１０９上の送信データをＤＡＴＡ１〜ＤＡＴＡ５、通知用チャネル（ＤＡＮＣＣＨ）１１０上の基地局受信判定結果情報をＡＣＫ１〜ＡＣＫ５とする。送信要求情報には少なくとも実施の形態１〜３で説明した残留優先度（Ｒｅｓｉｄｕａｌ  Ｐｒｉｏｒｉｔｙ）が乗せられている。なお、変調形式情報チャネル（ＵＴＣＣＨ）１０８は、上記データ送信用チャネル（ＥＵＤＣＨ）１０９上の送信データをＤＡＴＡ１〜ＤＡＴＡ５と同様のタイミングで処理される。
送信要求用チャネル１０６、割当て用チャネル（ＤＳＡＣＣＨ）１０７（ＵＳＩＣＣＨ）、データ送信用チャネル（ＥＵＤＣＨ）１０９、通知用チャネル（ＤＡＮＣＣＨ）１１０の流れで処理時間が経過し、移動局１０２から基地局１０３へ送信完了のＡＣＫ１の情報が送信された後、再度Ｃｈ．１にＲＥＱ１を割当て、同様の処理を繰り返す。
具体的に、第１７図の処理内容を説明する。
第１７図において、移動局１０２から基地局１０３へ送信要求情報ＲＥＱ１が送信要求用チャネル（ＵＳＩＣＣＨ）１０６に乗せられて送信され、順次、送信データが続く場合には、ＲＥＱ２〜ＲＥＱ５が移動局１０２から基地局１０３へ送信される。
次に、基地局１０３は送信要求情報ＲＥＱ１を受信し、この情報に従って送信スケジューラー（Ｓｃｈｅｄｕｌｅｒ）５０６が移動局１０２と通信するための送信タイミング等をスケジュール作成した後、このスケジューリング結果情報ＡＳＳ１を移動局１０２へ送信する。同様に、送信要求情報ＲＥＱ２〜ＲＥＱ５についても、順次、移動局１０２へスケジューリング指示情報ＡＳＳ２〜ＡＳＳ５が送信される。
次に、移動局１０２は、スケジューリング指示情報ＡＳＳ１に従って、基地局１０３へ送信データＤＡＴＡ１を送信する。同様に、ＤＡＴＡ２〜ＤＡＴＡ５についても、順次、基地局１０３へ送信される。
次に、基地局１０３は、ＤＡＴＡ１を受信後、受信判定結果情報ＡＣＫ１を移動局１０２へ送信する。同様に、基地局１０３は、ＡＣＫ２〜ＡＣＫ５についても、順次、移動局１０２へ送信する。
移動局１０２は受信判定結果情報ＡＣＫ１を受信した後、同じ分割の次のサブフレームのタイミングで、新たな送信すべきデータに対応させて、新たな送信要求ＲＥＱ１を基地局１０３へする。同様に、移動局１０２は他の分割タイミングにおいても次の送信すべきデータに対応した新たな送信要求を基地局１０３へ送信する。
第１８図は、本発明の実施の形態３に関する移動局の送信バッファの内部構成を示す図である。
第１８図において、送信データ記憶部としての送信バッファ（ＴＸ  ｂｕｆｆｅｒ）４０２は第４図で示した移動局１０２の構成の一部とする。
データ用メモリ（Ｄａｔａ  ｍｅｍｏｒｙ）１６０１は、上位ブロック処理部（Ｕｐｐｅｒ  Ｌａｙｅｒ）４０１から入力された少なくとも１以上のパケットデータ（Ｄａｔａ）を一時的に記憶し、各パケットデータを順次、時分割して再送用バッファ（Ｓ＆Ｗ  ｂｕｆｆｅｒ）１６０２へ出力する。再送用バッファ（Ｓ＆Ｗ  ｂｕｆｆｅｒ）１６０２は再送処理用にサブフレーム毎に時分割されたパケットデータ（Ｄａｔａ）を一時的に記憶する。第１セレクタ（Ｓｅｌｅｃｔｏｒ  １）１６０３はパケット送信制御部（Ｐａｃｋｅｔ  ＴＸ  Ｃｏｎｔｒｏｌ）４０３から入力される送信タイミング（ＴＸ  ｔｉｍｉｎｇ）を基に、データ用メモリ（Ｄａｔａ  ｍｅｍｏｒｙ）１６０１から入力される、時分割された少なくとも１以上のパケットデータを、再送用メモリ１（Ｃｈ．１  ｍｅｍｏｒｙ）１６０４−１、再送用メモリ２（Ｃｈ．２  ｍｅｍｏｒｙ）１６０４−２、……再送用メモリＮ（Ｃｈ．Ｎ  ｍｅｍｏｒｙ）１６０４−Ｎへ各再送処理を割り振る。再送用メモリ１（Ｃｈ．１  ｍｅｍｏｒｙ）１６０４−１、再送用メモリ２（Ｃｈ．２  ｍｅｍｏｒｙ）１６０４−２、……再送用メモリＮ（Ｃｈ．Ｎ  ｍｅｍｏｒｙ）１６０４−Ｎは、各再送処理のパケットデータ（Ｄａｔａ）を記憶する。第２セレクタ（Ｓｅｌｅｃｔｏｒ  ２）１６０５はパケット送信制御部（Ｐａｃｋｅｔ  ＴＸ  Ｃｏｎｔｒｏｌ）４０３から入力される送信タイミング（ＴＸ  ｔｉｍｉｎｇ）を基に送信すべきパケットデータ（Ｄａｔａ）を選択する。
次に、送信バッファ（ＴＸ  ｂｕｆｆｅｒ）４０２の動作説明をする。送信バッファ（ＴＸ  ｂｕｆｆｅｒ）４０２は、上位ブロック処理部（Ｕｐｐｅｒ  ｌａｙｅｒ）４０１からパケットデータが入力されると、データ用メモリ（Ｄａｔａ  ｍｅｍｏｒｙ）１６０１にパケットデータ（Ｄａｔａ）を一時的に記憶する。
次に、データ用メモリ（Ｄａｔａ  ｍｅｍｏｒｙ）１６０１は、入力されたパケットデータ（Ｄａｔａ）のデータサイズをもとに当該データ用メモリ（Ｄａｔａ  ｍｅｍｏｒｙ）１６０１に記憶した送信データサイズ（Ｑｕｅｕｅ  ｓｉｚｅ）情報を変調制御部（ＴＦＲＩ  Ｃｏｎｔｒｏｌ）４０４へ、優先度（Ｐｒｉｏｒｉｔｙ）を優先度制御部（Ｐｒｉｏｒｉｔｙ  Ｃｏｎｔｒｏｌ）４０５へ入力する。
次に、第１セレクタ（Ｓｅｌｅｃｔｏｒ  １）１６０３はパケット送信制御部（Ｐａｃｋｅｔ  ＴＸ  Ｃｏｎｔｒｏｌ）４０３から入力される送信タイミング（ＴＸ  ｔｉｍｉｎｇ）を基に、データ用メモリ（Ｄａｔａ  ｍｅｍｏｒｙ）１６０１から入力される、時分割された少なくとも１以上のパケットデータを、再送用メモリ１（Ｃｈ．１  ｍｅｍｏｒｙ）１６０４−１、再送用メモリ１（Ｃｈ．１  ｍｅｍｏｒｙ）１６０４−２、……再送用メモリＮ（Ｃｈ．Ｎ  ｍｅｍｏｒｙ）１６０４−Ｎへ各再送処理を割り振る。
次に、第２セレクタ（Ｓｅｌｅｃｔｏｒ  ２）１６０５はパケット送信制御部（Ｐａｃｋｅｔ  ＴＸ  Ｃｏｎｔｒｏｌ）４０３から送信タイミング（ＴＸ  ｔｉｍｉｎｇ）を受け取ると、送信すべき時分割されたパケットデータ（Ｄａｔａ）が記憶されている再送用メモリ１（Ｃｈ．１  ｍｅｍｏｒｙ）１６０４−１、再送用メモリ２（Ｃｈ．１  ｍｅｍｏｒｙ）１６０４−２、……再送用メモリＮ（Ｃｈ．Ｎ  ｍｅｍｏｒｙ）１６０４−Ｎを選択し、当該各再送用メモリ１〜Ｎに一時的に記憶されている時分割データ（ＥＵＤＣＨ  ＴＸ  ｄａｔａ）を多重化部（ＭＵＸ）４０７へ出力する。また、第２セレクタ（Ｓｅｌｅｃｔｏｒ  ２）１６０５の動作と同時に、改めて、第１セレクタ（Ｓｅｌｅｃｔｏｒ  １）１６０３はパケット送信制御部（Ｐａｃｋｅｔ  ＴＸ  Ｃｏｎｔｒｏｌ）４０３から入力される送信タイミング（ＴＸ  ｔｉｍｉｎｇ）を基に、データ用メモリ（Ｄａｔａ  ｍｅｍｏｒｙ）１６０１から入力される、時分割された少なくとも１以上のパケットデータを、再送用メモリ１（Ｃｈ．１  ｍｅｍｏｒｙ）１６０４−１、再送用メモリ２（Ｃｈ．２  ｍｅｍｏｒｙ）１６０４−２、……再送用メモリＮ（Ｃｈ．Ｎ  ｍｅｍｏｒｙ）１６０４−Ｎへ各再送処理を割り振る。
次に、本発明の実施の形態３における残留優先度（Ｒｅｓｉｄｕａｌ  Ｐｒｉｏｒｉｔｙ）の設定及び基地局１０３への送信動作について説明する。
第１９図は、オンデマインド型のチャネル割当方式であり並列型再送方式の動作原理タイミングチャートを示す図であって、特に残留優先度の設定・基地局への送信動作を説明する図である。
第１９図において、第１７図同様に、縦軸を各種チャネル、横軸を時間軸とする。
第１９図において、初期状態として、再送用メモリ１（Ｃｈ．１  ｍｅｍｏｒｙ）１６０４−１〜再送用メモリ３（Ｃｈ．３  ｍｅｍｏｒｙ）には、時分割された送信タイミング長を一単位として、優先度１、２、３のパケットデータがそれぞれ１つずつ記憶されているとする。
また、縦軸の最上段には、時分割された各タイミング毎の全ての再送用メモリ１（Ｃｈ．１  ｍｅｍｏｒｙ）１６０４−１〜再送用メモリ５（Ｃｈ．５  ｍｅｍｏｒｙ）１６０４−５内に一時的に記憶されているパケットデータの各優先度（Ｐｒｉｏｒｉｔｙ）を示す。
優先制御部（Ｐｒｉｏｒｉｔｙ  Ｃｏｎｔｒｏｌ）４０５が時分割されたタイミング毎に、縦軸の最上段に示された各優先度に基づき、送信要求情報ＲＥＱ１〜３に乗せる残留優先度（Ｒｅｓｉｄｕａｌ  Ｐｒｉｏｒｉｔｙ）を設定する。第１９図の送信要求チャネル（ＵＳＩＣＣＨ）１０６の時分割された各タイミング毎に円内に示された数字は、当該送信要求情報ＲＥＱに乗せる残留優先度値である。また、データ送信用チャネル（ＥＵＤＣＨ）１０９／変調形式情報チャネル（ＵＴＣＣＨ）１０８の時分割された各パケットデータ（ＤＡＴＡ）毎に円内に示された数字は当該時分割された各パケットデータ（ＤＡＴＡ）毎の優先度（Ｐｒｉｏｒｉｔｙ）の値である。第１９図において、縦軸最下段の各タイミング毎のＡＣＫに括弧書きで示されたＡＣＫ又はＮＡＣＫは、当該パケットデータの受信判定結果であり、移動局１０２から送信されるパケットデータを基地局１０３が正しく受信できた場合にはＡＣＫ、正しく受信できなかった場合にはＮＡＣＫとなる。
次に第１９図で示された処理に関して動作説明をする。
第１９図において、再送用メモリ１（Ｃｈ．１  ｍｅｍｏｒｙ）１６０４−１〜再送用メモリ３（Ｃｈ．３  ｍｅｍｏｒｙ）にのみ、時分割された送信タイミング長を一単位として、優先度１、２、３のパケットデータがそれぞれ１つずつ記憶されているとする。
第４図及び第１９図において、優先度制御部（Ｐｒｉｏｒｉｔｙ  Ｃｏｎｔｒｏｌ）４０５は、Ｃｈ．１に対応する最初のパケットデータに対しては、送信バッファ（ＴＸ  ｂｕｆｆｅｒ）４０２の全再送用メモリ１〜５（Ｃｈ．１  ｍｅｍｏｒｙ〜Ｃｈ．５  ｍｅｍｏｒｙ）１６０４−１〜１６０４−５に記憶されているパケットデータの優先度１、２、３のうち最大の優先度（Ｐｒｉｏｒｉｔｙ）３を残留優先度（Ｒｅｓｉｄｕａｌ  Ｐｒｉｏｒｉｔｙ）として設定する。そして、送信要求情報ＲＥＱ１には残留優先度（Ｒｅｓｉｄｕａｌ  Ｐｒｉｏｒｉｔｙ）３が設定され、送信要求チャネル（ＵＳＩＣＣＨ）１０６に乗せられて移動局１０２から基地局１０３へ送信される。
次に、Ｃｈ．２に対応する２番目の再送処理タイミングに対しては、既に送信したＲＥＱ１で送信要求しているＣｈ．１の優先度（Ｐｒｉｏｒｉｔｙ）３のパケットデータ（ＤＡＴＡ１）に対する基地局１０３から受信判定結果情報（ＡＣＫ、ＮＡＣＫ）を受信していないので、それまでは送信バッファ（ＴＸ  ｂｕｆｆｅｒ）４０２に優先度３、２、１の全てのパケットデータが一時的に記憶されたままである。ここで、この時点で、送信バッファ（ＴＸ  ｂｕｆｆｅｒ）４０２に記憶されている優先度３、２、１のパケットデータ全てのデータ量が、基地局１０３及び移動局１０３間で予め定められた所定のフォーマットで定められている基地局１０３への１回の送信で送信可能なデータ量を超えているので、ＲＥＱ２には１回送信分のパケットデータ、即ち優先度３のパケットデータを除いた残余のパケットデータの優先度２、１のうち最大の優先度（Ｐｒｉｏｒｉｔｙ）２を残留優先度（Ｒｅｓｉｄｕａｌ  Ｐｒｉｏｒｉｔｙ）として設定する。
次に、Ｃｈ．３に対応する３番目の送信タイミングに対しては、既に送信したＲＥＱ１及びＲＥＱ２で送信要求しているＣｈ．１及びＣｈ．２の優先度（Ｐｒｉｏｒｉｔｙ）３、２のパケットデータ（ＤＡＴＡ１、ＤＡＴＡ２）に対する基地局１０３から受信判定結果情報（ＡＣＫ、ＮＡＣＫ）を受信していないので、それまでは送信バッファ（ＴＸ  ｂｕｆｆｅｒ）４０２に一時的に記憶されたままである。ここでも、上記ＲＥＱ１の残留優先度（Ｒｅｓｉｄｕａｌ  Ｐｒｉｏｒｉｔｙ）の設定と同様に、送信バッファ（ＴＸ  ｂｕｆｆｅｒ）４０２に記憶されている優先度３、２、１のパケットデータ全てのデータ量が、基地局１０３及び移動局１０３間で予め定められた所定のフォーマットで定められている基地局１０３への１回の送信で送信可能なデータ量を超えているので、ＲＥＱ３には１回送信分のパケットデータ、即ち優先度３のパケットデータを除いた残余のパケットデータの優先度２、１のうち最大の優先度（Ｐｒｉｏｒｉｔｙ）２を残留優先度（Ｒｅｓｉｄｕａｌ  Ｐｒｉｏｒｉｔｙ）として設定する。
次に、Ｃｈ．４、Ｃｈ．５に対応する４、５番目の送信タイミングに対しては、移動局１０２は全てのパケットデータを送信要求情報（ＵＳＩＣＣＨ）１０６を基地局１０３へ送信した後なので、送信要求情報の送信は行なわない。
次に、Ｃｈ．１に対応する送信タイミングにおけるパケットデータの最初の送信は基地局１０３への送信がうまくいかず、移動局１０２が基地局１０３から通知用チャネル（ＤＡＮＣＣＨ）１１０により受信判定結果ＮＡＣＫを受信しているので、移動局１０２は次の再送処理周期（Ｃｈ．１）で基地局１０３へ送信要求情報を再送信する。ここで、上りリンクの通信環境の状態が悪い場合は優先度（Ｐｒｉｏｒｉｔｙ）３のパケットデータは再送を繰り返す可能性があり、再送メモリ１６０４−０１に優先度（ｐｒｉｏｒｉｔｙ）３の当該パケットデータ（ＤＡＴＡ１）を残す。ここでも、送信バッファ（ＴＸ  ｂｕｆｆｅｒ）４０２に記憶されている優先度３、２、１のパケットデータ（ＤＡＴＡ１、ＤＡＴＡ２、ＤＡＴＡ３）全てのデータ量が、基地局１０３及び移動局１０３間で予め定められた所定のフォーマットで定められている基地局１０３への１回の送信で送信可能なデータ量を超えているので、２周期目の再送用のＲＥＱ１には１回送信分のパケットデータ、即ち優先度３のパケットデータ（ＤＡＴＡ１）を除いた残余のパケットデータ（ＤＡＴＡ１、ＤＡＴＡ２）の優先度２、１のうち最大の優先度（Ｐｒｉｏｒｉｔｙ）２を残留優先度（Ｒｅｓｉｄｕａｌ  Ｐｒｉｏｒｉｔｙ）として設定する。
次に、優先度２のパケットデータの最初の送信に対しては、受信判定結果はＡＣＫなので、２周目のＲＥＱ１は送信されない。また、基地局１０３において正しく受信されているので、再送用メモリから当該優先度２のパケットデータ（ＤＡＴＡ２）は削除される。
次に、優先度１のパケットデータの最初の送信に対して、受信判定結果がＮＡＣＫなので、移動局１０２は２周期目のＲＥＱ３に対して、基地局１０３へ再送信する。上りリンクの通信環境の状態が悪い場合、優先度１のパケットデータ（ＤＡＴＡ３）は再送を繰り返す可能性があり、再送メモリ１６０４−０３に記憶されたままとなる。ここでも、送信バッファ（ＴＸ  ｂｕｆｆｅｒ）４０２に記憶されている優先度３、１のパケットデータ（ＤＡＴＡ１、ＤＡＴＡ３）全てのデータ量が、基地局１０３及び移動局１０３間で予め定められた所定のフォーマットで定められている基地局１０３への１回の送信で送信可能なデータ量を超えているので、２周期目の再送用のＲＥＱ３には１回送信分のパケットデータ、即ち優先度３のパケットデータ（ＤＡＴＡ１）を除いた残余のパケットデータ（ＤＡＴＡ３）の優先度（Ｐｒｉｏｒｉｔｙ）１を残留優先度（Ｒｅｓｉｄｕａｌ  Ｐｒｉｏｒｉｔｙ）として設定する。
次に、再送された優先度３及び１のパケットデータ（ＤＡＴＡ１、ＤＡＴＡ３）の受信判定結果がＡＣＫであるから、移動局１０２は送信完了する。
なお、上記説明では、全再送処理のパケットデータをまとめて処理の上、基地局１０３へ送信するようにしたが、これに限らず、例えば各再送処理毎に独立して処理の上、基地局１０３へ送信する場合も考えられる。
以上の通り、移動局側で時間分割処理で残留優先度を設定でき、複数化した再送処理できるので、各送信データの再送処理周期が長くとも他の処理の空き時間を利用して別の再送処理が可能となり、無線資源利用効率の向上及びシステム全体の通信効率（ｔｈｒｏｕｇｈ  ｐｕｔ：スループット）を向上させることができる。
本発明の実施の形態３における別の実施例を示す。
第２０図は、オンデマインド型のチャネル割当方式であり並列型再送方式の動作原理タイミングチャートを示す図であって、特に残留優先度の設定・基地局への送信動作を説明する図である。
第１９図との違いは、基地局１０３から最初の受信判定結果ＡＣＫが通知用チャネル（ＤＡＮＣＣＨ）１１０に乗せられて受信されるまでは、残留優先度（Ｒｅｓｉｄｕａｌ  Ｐｒｉｏｒｉｔｙ）の値の更新しない条件つけが追加されている。
第２０図において、最上位欄の表記の通り、送信バッファ（ＴＸ  ｂｕｆｆｅｒ）４０２の再送用メモリには優先度３、２、１の時分割されたパケットデータ（ＤＡＴＡ１、ＤＡＴＡ２、ＤＡＴＡ３）が記憶されている。
各時分割されたパケットデータ（ＤＡＴＡ１、ＤＡＴＡ２、ＤＡＴＡ３）毎に順次、送信要求用チャネル（ＵＳＩＣＣＨ）１０６に乗せられる残留優先度（Ｒｅｓｉｄｕａｌ  Ｐｒｉｏｒｉｔｙ）が算出され、ＲＥＱ１、２、３として送信要求用チャネルに乗せられて基地局１０３へ送信される。
このとき、基地局１０３から最初の受信判定結果ＡＣＫが通知用チャネル（ＤＡＮＣＣＨ）１１０に乗せられて受信されるまでは残留優先度（Ｒｅｓｉｄｕａｌ  Ｐｒｉｏｒｉｔｙ）の値の更新しない条件つけにより、ＤＡＴＡ１、２、３はそれぞれ初送であるから、ＲＥＱ１、ＲＥＱ２、ＲＥＱ３のそれぞれの残留優先度（Ｒｅｓｉｄｕａｌ  Ｐｒｉｏｒｉｔｙ）は３、３、３となり、先に説明した第１９図で示した場合より、高い値になっている。
次に、優先度３、２、１のＤＡＴＡ１、２、３がそれぞれ順次、第２０図に示した順に従って、データ送信用チャネル（ＥＵＤＣＨ）１０９又は変調形式情報チャネル（ＵＴＣＣＨ）１０８に乗せられて基地局１０３へ送信される。送信後、移動局１０２は、基地局１０３から送信される通知用チャネル（ＤＡＮＣＣＨ）１１０に乗せられたＡＣＫ１、２、３を順次受信するが、第２０図の最下欄に示すように優先度２のＤＡＴＡ２に対してのみＡＣＫを受けたとする。そうすると、ＮＡＣＫを受けた、優先度３のＤＡＴＡ１及び優先度１のＤＡＴＡ３は再送する必要が生じる。
このとき、再送時の残留優先度（Ｒｅｓｉｄｕａｌ  Ｐｒｉｏｒｉｔｙ）は次にように決定される。
まず、ＤＡＴＡ１の再送分については、このＤＡＴＡ１に対応するＲＥＱ１を送信する時点では、ＤＡＴＡ２に対するＡＣＫを移動局１０２が受信していないので、このときの残留優先度（Ｒｅｓｉｄｕａｌ  Ｐｒｉｏｒｉｔｙ）はＤＡＴＡ１、２、３の優先度（Ｐｒｉｏｒｉｔｙ）３、２、１の最大値である３が設定される。
また、ＤＡＴＡ３の再送分については、このＤＡＴＡ１に対応するＲＥＱ１を送信する時点では、ＤＡＴＡ２に対するＡＣＫを移動局１０２が受信しており、この時点で送信バッファ（ＴＸ  ｂｕｆｆｅｒ）４０２の再送用メモリ１６０４−０１、１６０４−０３に記憶されている優先度３のＤＡＴＡ１及び優先度１のＤＡＴＡ３のうち、１回送信分のＤＡＴＡ１分を除いた残余のＤＡＴＡ３の優先度（Ｐｒｉｏｒｉｔｙ）１が残留優先度（Ｒｅｓｉｄｕａｌ  Ｐｒｉｏｒｉｔｙ）として設定される。なお、送信バッファ（ＴＸ  ｂｕｆｆｅｒ）４０２に記憶されている優先度３のＤＡＴＡ１及び優先度１のＤＡＴＡ３のデータ量が、基地局１０３及び移動局１０３間で予め定められた所定のフォーマットで定められている基地局１０３への１回の送信で送信可能なデータ量を超えている場合として、ＤＡＴＡ３の再送分の残留優先度（Ｒｅｓｉｄｕａｌ  Ｐｒｉｏｒｉｔｙ）として設定したが、基地局１０３と移動局１０２との間で予め定められた所定のフォーマットで定められている基地局１０３への１回の送信で送信可能なデータ量を超えていない場合には、残留優先度（Ｒｅｓｉｄｕａｌ  Ｐｒｉｏｒｉｔｙ）は、ＤＡＴＡ１及びＤＡＴＡ３の優先度（Ｐｒｉｏｒｉｔｙ）３、１のうち最大の値である３に設定される。
この通り、基地局の送信スケジューラーは移動局からの最初の送信開始時や送信バッファが空になった後のパケットデータ送信開始時付近において、残留優先度とパケットデータ個数の値が大きいほど長く続くので、優先度の高いパケットデータを有する移動局とデータ量が大きい移動局の双方を考慮して、基地局は基地局と移動局との間の送信タイミングについてのスケジュール作成をすることができ、より基地局側でスケジュール作成を最適にすることができ、しいては無線資源の利用効率を高めることができる。
なお、前述の各実施の形態では残留優先度（Ｒｅｓｉｄｕａｌ  ｐｒｉｏｒｉｔｙ）の設定に対し、主に各パケットデータの優先度（ｐｒｉｏｒｉｔｙ）を使用しているが、これに限らず例えば、データサイズ（Ｑｕｅｕｅ  ｓｉｚｅ）その他の情報を追加して決定することも可能である。
【図１】
2005046282.tif 000002
【図２】
2005046282.tif 000003
【図３】
2005046282.tif 000004
【図４】
2005046282.tif 000005
【図５】
2005046282.tif 000006
【図６】
2005046282.tif 000007
【図７】
2005046282.tif 000008
【図８】
2005046282.tif 000009
【図９】
2005046282.tif 000010
【図１０】
2005046282.tif 000011
【図１１】
2005046282.tif 000012
【図１２】
2005046282.tif 000013
【図１３】
2005046282.tif 000014
【図１４】
2005046282.tif 000015
【図１５】
2005046282.tif 000016
【図１６】
2005046282.tif 000017
【図１７】
2005046282.tif 000018
【図１８】
2005046282.tif 000019
【図１９】
2005046282.tif 000020
【図２０】
2005046282.tif 000021
【国際調査報告】
2005046282.tif 000022
2005046282.tif 000023
2005046282.tif 000024
2005046282.tif 000025